(57)【要約】【課題】  イメージセンサと読取対象位置との相対位置関係がカラー画像を読み取る場合とモノクロ画像を読み取る場合とで異なる画像読取装置において、画像読取処理に要する時間を増大せずに、同一範囲から画像を読み取り可能とすること。【解決手段】  利用者がカラーモードを指定したら、画像読取装置は、あらかじめ第１の読取対象位置ｒと原稿上の読取開始位置ｐ１またはｐ２とが一致する位置（ＦＢ＿カラー位置、ＡＤＦ＿カラー位置）まで読取ヘッド１１を移動させる。利用者がモノクロモードを指定したら、画像読取装置は、あらかじめ第２の読取対象位置ｂｗと原稿上の読取開始位置ｐ１またはｐ２とが一致する位置（ＦＢ＿Ｂ／Ｗ位置、ＡＤＦ＿Ｂ／Ｗ位置）まで読取ヘッド１１を移動させる。以後は、画像読取処理に要する時間を増大させずに、同一範囲から画像を読み取ることができる。【選択図】  図８
2008099338.tif 000002
【特許請求の範囲】
【請求項１】
読取対象位置に存在する原稿の一部から画像を読み取り可能な画像読取素子を複数組備えており、該複数組の画像読取素子のうち、いくつかの組によって前記原稿の一部をカラー画像として読み取るカラー画像読取素子が構成され、いくつかの組によって前記原稿の一部をモノクロ画像として読み取るモノクロ画像読取素子が構成されるイメージセンサと、
前記原稿上の読取開始位置から読取終了位置までの範囲が前記読取対象位置を順に通過するように、前記イメージセンサおよび前記原稿のうち、一方を他方に対して相対的に移動させる相対移動手段と、
前記原稿をカラー画像として読み取るカラーモードおよび原稿をモノクロ画像として読み取るモノクロモードのうち、いずれのモードで原稿を読み取るのかを、利用者からの指示に従って切り替えるモード切替手段と、
該モード切替手段により、前記カラーモードに切り替えられた場合は、前記カラー画像読取素子を利用する一方、前記モノクロモードに切り替えられた場合は、前記モノクロ画像読取素子を利用し、前記相対移動手段によって前記イメージセンサと前記原稿との相対位置を変更しながら前記イメージセンサで前記原稿の一部を読み取る処理を繰り返すことにより、原稿全体に相当するカラー画像またはモノクロ画像を読み取るように制御する制御手段と
を備えた画像読取装置において、
前記イメージセンサが、前記カラー画像読取素子で原稿を読み取る場合は第１の読取対象位置を利用する一方、前記モノクロ画像読取素子で原稿を読み取る場合は前記第１の読取対象位置とは異なる第２の読取対象位置を利用する構造とされており、
前記モード切替手段によって前記カラーモードに切り替えられた場合には、前記制御手段は、前記原稿の読み取り開始を利用者から指示されたか否かにかかわらず、前記原稿上の読取開始位置と前記第１の読取対象位置とを一致させ、その後、前記原稿の読み取り開始を利用者から指示されたら、当該第１の読取対象位置と前記原稿との相対位置を変更しながら前記原稿を読み取る一方、前記モード切替手段によって前記モノクロモードに切り替えられた場合には、前記制御手段は、前記原稿の読み取り開始を利用者から指示されたか否かにかかわらず、前記原稿上の読取開始位置と前記第２の読取対象位置とを一致させ、その後、前記原稿の読み取り開始を利用者から指示されたら、前記第２の読取対象位置と前記原稿との相対位置を変更しながら前記原稿を読み取るように構成されている
ことを特徴とする画像読取装置。
【請求項２】
前記カラー画像読取素子は、前記読取対象位置が異なる複数組の画像読取素子によって構成されていて、前記相対移動手段が前記イメージセンサと前記原稿とを相対移動させた際、原稿上の同一箇所が前記複数組の画像読取素子のそれぞれに対応する複数の前記読取対象位置を順に通過し、その通過中に各画像読取素子で原稿を読み取るように構成され、
前記制御手段は、前記複数組の画像読取素子のうち、最初に原稿の一部を読み取ることになる一組の画像読取素子に対応する前記読取対象位置を前記第１の読取対象位置として、前記カラーモードの場合の制御を実行する
ことを特徴とする請求項１に記載の画像読取装置。
【請求項３】
前記イメージセンサが静止して前記原稿が移動する原稿移動モード、および前記原稿が静止して前記イメージセンサが移動するイメージセンサ移動モードのうち、いずれか一方または両方の移動モードを備えるとともに、少なくとも一方の移動モードにおいて、前記カラー画像読取素子は、前記最初に原稿の一部を読み取ることになる一組の画像読取素子が、前記第１の読取対象位置において原稿の一部を読み取るとともに、残りの画像読取素子が、前記第１の読取対象位置よりも前記第２の読取対象位置に近い位置から前記第２の読取対象位置までの範囲において前記原稿の一部を読み取るように構成されている
ことを特徴とする請求項２に記載の画像読取装置。
【請求項４】
前記イメージセンサおよび前記原稿のうち、前記相対移動手段による移動対象物が、最初は待機位置において静止した状態にあり、
前記相対移動手段が、前記待機位置から前記第１，第２の読取対象位置のいずれかと前記読取開始位置とを一致させる位置まで前記移動対象物を移動させる際には、前記原稿を読み取る時よりも速い速度で前記移動対象物を移動させる
ことを特徴とする請求項３に記載の画像読取装置。
【請求項５】
前記イメージセンサが静止して前記原稿が移動する原稿移動モード、および前記原稿が静止して前記イメージセンサが移動するイメージセンサ移動モードの両方を備えており、
前記カラー画像読取素子のうち、前記最初に原稿の一部を読み取ることになる一組の画像読取素子が、前記原稿移動モードと前記イメージセンサ移動モードとでは、異なる画像読取素子となる
ことを特徴とする請求項２〜請求項４のいずれかに記載の画像読取装置。
【請求項６】
読取対象となる原稿が存在すること、読取対象となる原稿を載置するための原稿載置面を覆うカバーが開けられたこと、前記カバーが閉められたこと、および利用者が各種指示を入力する際に利用する入力装置が操作されたことのうち、少なくとも一つの事象を検出可能な検出手段と、
該検出手段によっていずれかの事象が検出された場合に、カラーモード／モノクロモードのいずれのモードとするのかを利用者から指示されたか否かにかかわらず、前記カラー画像読取素子と前記モノクロ画像読取素子の双方について、各画像読取素子の白レベル補正データを取得する白レベル補正データ取得手段と
を備えたことを特徴とする請求項１〜請求項５のいずれかに記載の画像読取装置。
【請求項７】
前記白レベル補正データ取得手段は、画像を読み取る際の解像度が指定された後に、該解像度に対応した１つの白レベル補正データを取得する
ことを特徴とする請求項６に記載の画像読取装置。
【請求項８】
前記白レベル補正データ取得手段は、前記解像度が指定される前に、指定可能な解像度のすべてに対応した複数の白レベル補正データを取得する
ことを特徴とする請求項６に記載の画像読取装置。
【請求項９】
前記カラー画像読取素子が、異なる色に対応する３組の光電変換素子列と、該３組の光電変換素子列からデータを入力する３組のバッファと、該３組のバッファから信号を出力する３つのチャンネルとを備え、
前記モノクロ画像読取素子が、１組の光電変換素子列と、該１組の光電変換素子列からデータを入力するとともに、異なる解像度に対応して利用するか否かの組み合わせが変わる３組のバッファと、該３組のバッファから信号を出力する３つのチャンネルとを備え、
前記カラー画像読取素子の備える３つのチャンネルと、前記モノクロ画像読取素子の備える３つのチャンネルとは、データ出力端が兼用されている
ことを特徴とする請求項６〜請求項８のいずれかに記載の画像読取装置。
【請求項１０】
前記読取対象位置に存在する原稿の一部に光を照射する光源を備えており、
該光源から光を照射した際に、前記第１の読取対象位置に存在する原稿の一部よりも前記第２の読取対象位置において存在する原稿の一部が明るくなるように構成されている
ことを特徴とする請求項１〜請求項９のいずれかに記載の画像読取装置。
【発明の詳細な説明】
【技術分野】
【０００１】
本発明は、画像読取装置に関する。
【背景技術】
【０００２】
従来から、各組がＲ（赤）Ｇ（緑）Ｂ（青）各色のいずれかに対応する３組の画像読取素子を備えたリニアイメージセンサで、原稿から画像を読み取るように構成された画像読取装置が知られている。この種の画像読取装置は、３組の画像読取素子を利用して原稿からカラー画像を読み取ることができ、また、３組の画像読取素子のうち、１組の（例えばＧ（緑）に対応する）画像読取素子を利用して原稿からモノクロ画像を読み取ることができた。
【０００３】
また、近年、上記３組の画像読取素子に加えて、モノクロ画像読み取り専用の画像読取素子として、さらにもう１組の画像読取素子を備えたリニアイメージセンサで、原稿から画像を読み取るように構成された画像読取装置が知られている（例えば下記特許文献１参照。）。この種の画像読取装置は、カラー専用の３組の画像読取素子を利用して原稿からカラー画像を読み取ることができ、また、モノクロ専用の１組の画像読取素子を利用して原稿からモノクロ画像を読み取ることができた。
【特許文献１】特開２００２−１１１９６８号公報
【発明の開示】
【発明が解決しようとする課題】
【０００４】
しかしながら、上記従来の画像読取装置によれば、以下に述べるような問題があった。
【０００５】
画像読取装置においては、原稿から画像を読み取る際に、フラットベッド機構（以下、ＦＢともいう。）か自動給紙機構（Automatic Document Feeder;以下、ＡＤＦともいう。）を利用する。すなわち、これらＦＢまたはＡＤＦにより、イメージセンサおよび原稿のうち、一方を他方に対して相対的に移動させて、原稿上の読取開始位置から読取終了位置までの範囲をイメージセンサで走査する。
【０００６】
しかし、カラー画像を読み取る際に利用する３組の画像読取素子と、モノクロ画像を読み取る際に利用する１組の画像読取素子（＝カラー画像を読み取る際に利用する３組の画像読取素子のうちの１組、またはカラー画像を読み取る際に利用する３組の画像読取素子とは別のモノクロ専用の画像読取素子）とでは、読取対象位置に僅かなずれがある。
【０００７】
そのため、イメージセンサと原稿との相対移動の開始時点の位置関係と、当該相対移動を開始するタイミング（以下、移動開始タイミングという。）と、イメージセンサで実際に原稿を読み取る処理を開始するタイミング（以下、読取開始タイミングという。）のすべてを、カラー画像を読み取る場合とモノクロ画像を読み取る場合とで一致させても、原稿上の走査範囲が厳密には一致せず、正確に同一範囲の画像を読み取ることができない、という問題があった。
【０００８】
この問題に関し、カラー画像を読み取る場合とモノクロ画像を読み取る場合のうち、いずれか一方について上述の読取開始タイミングを僅かに遅らせれば、他方と原稿上の走査範囲を一致させることも不可能ではない。
【０００９】
しかし、この場合は、移動開始タイミングよりも読取開始タイミングが僅かに遅れるた
め、読取終了タイミングも遅れることになり、移動開始タイミングから読取終了タイミングまでに要する時間がいくらか増大してしまう、という問題があった。
【００１０】
本発明は、上記問題を解決するためになされたものであり、その目的は、カラー画像を読み取る場合とモノクロ画像を読み取る場合とでは、異なる読取対象位置から画像を読み取る複数組の画像読取素子を備えたイメージセンサを利用しているにもかかわらず、画像の読み取り処理に要する時間を増大させることなく、同一範囲から画像を読み取り可能な画像読取装置を提供することにある。
【課題を解決するための手段】
【００１１】
【発明の効果】
【００１２】
上述の目的を達成するため、本発明においては、以下に説明するような構成を採用した。
【００１３】
まず、請求項１に記載の画像読取装置は、
読取対象位置に存在する原稿の一部から画像を読み取り可能な画像読取素子を複数組備えており、該複数組の画像読取素子のうち、いくつかの組によって前記原稿の一部をカラー画像として読み取るカラー画像読取素子が構成され、いくつかの組によって前記原稿の一部をモノクロ画像として読み取るモノクロ画像読取素子が構成されるイメージセンサと、
前記原稿上の読取開始位置から読取終了位置までの範囲が前記読取対象位置を順に通過するように、前記イメージセンサおよび前記原稿のうち、一方を他方に対して相対的に移動させる相対移動手段と、
前記原稿をカラー画像として読み取るカラーモードおよび原稿をモノクロ画像として読み取るモノクロモードのうち、いずれのモードで原稿を読み取るのかを、利用者からの指示に従って切り替えるモード切替手段と、
該モード切替手段により、前記カラーモードに切り替えられた場合は、前記カラー画像読取素子を利用する一方、前記モノクロモードに切り替えられた場合は、前記モノクロ画像読取素子を利用し、前記相対移動手段によって前記イメージセンサと前記原稿との相対位置を変更しながら前記イメージセンサで前記原稿の一部を読み取る処理を繰り返すことにより、原稿全体に相当するカラー画像またはモノクロ画像を読み取るように制御する制御手段と
を備えた画像読取装置において、
前記イメージセンサが、前記カラー画像読取素子で原稿を読み取る場合は第１の読取対象位置を利用する一方、前記モノクロ画像読取素子で原稿を読み取る場合は前記第１の読取対象位置とは異なる第２の読取対象位置を利用する構造とされており、
前記モード切替手段によって前記カラーモードに切り替えられた場合には、前記制御手段は、前記原稿の読み取り開始を利用者から指示されたか否かにかかわらず、前記原稿上の読取開始位置と前記第１の読取対象位置とを一致させ、その後、前記原稿の読み取り開始を利用者から指示されたら、当該第１の読取対象位置と前記原稿との相対位置を変更しながら前記原稿を読み取る一方、前記モード切替手段によって前記モノクロモードに切り替えられた場合には、前記制御手段は、前記原稿の読み取り開始を利用者から指示されたか否かにかかわらず、前記原稿上の読取開始位置と前記第２の読取対象位置とを一致させ、その後、前記原稿の読み取り開始を利用者から指示されたら、前記第２の読取対象位置と前記原稿との相対位置を変更しながら前記原稿を読み取るように構成されている
ことを特徴とする。
【００１４】
この画像読取装置において、イメージセンサは、例えばリニアイメージセンサと呼ばれ
るものを採用可能であり、より具体的には、ＣＣＤ（charge coupled device，電荷結合素子）等を用いて、一次元配列された複数の画素からなる１ライン分の画像を読み取り可能に構成されたイメージセンサ等を用いることができる。ただし、発明の構成上は、２ラインを千鳥配列にして解像度を上げ、これを一回の読み取り単位とするイメージセンサであっても何ら問題はない。
【００１５】
また、このイメージセンサは、カラー画像を読み取り可能なものであり、異なる色フィルターがかけられた複数組の画像読取素子を備えている。異なる色フィルターとしては、リニアイメージセンサにおいて一般的なＲＧＢ系のもの、その補色に当たるＹＭＣ系のものどちらを用いてもよい。
【００１６】
また、このイメージセンサは、カラー画像読取素子で原稿を読み取る場合は第１の読取対象位置を利用する一方、モノクロ画像読取素子で原稿を読み取る場合は第１の読取対象位置とは異なる第２の読取対象位置を利用する構造とされている。
【００１７】
カラー画像読取素子としては、読取対象位置が異なる複数組の画像読取素子によって構成されていて、相対移動手段がイメージセンサと原稿とを相対移動させた際、原稿上の同一箇所が複数組の画像読取素子のそれぞれに対応する複数の読取対象位置を順に通過し、その通過中に各画像読取素子で原稿を読み取るように構成されたもの（例えばＲＧＢ各々に対応する３組の画像読取素子を並列配置した３ラインタイプのイメージセンサ、これに加えてもう１組、モノクロ専用の画像読取素子をも配置した４ラインタイプのイメージセンサなど）を採用できる。これらの場合、複数組の画像読取素子のうち、最初に原稿の一部を読み取ることになる一組の画像読取素子に対応する読取対象位置が前記第１の読取対象位置となる。
【００１８】
３ラインタイプのイメージセンサの場合、３ラインのうちの１ラインがモノクロ画像を読み取る際に利用されるが、そのモノクロ兼用の１ラインと、カラー画像を読み取る際に最初に画像を読み取ることになる１ラインとが異なるラインになっている場合に、上述の如き第１、第２の読取対象位置を利用する構成となる。
【００１９】
また、カラー画像読取素子としては、ＲＧＢ色フィルタを周期的に配列したインラインタイプのものも知られているが、この場合でも、モノクロ専用の画像読取素子を加えて２ライン構成にすると、上述の如き第１、第２の読取対象位置を利用する構造になる。
【００２０】
相対移動手段は、イメージセンサおよび原稿のうち、一方を他方に対して相対的に移動させる手段である。イメージセンサ側を移動させる手段としてはＦＢ、原稿側を移動させる手段としてはＡＤＦが公知である。これらＦＢおよびＡＤＦは、いずれか一方のみを備えていてもよいし、両方を備えていてもよく、両方を備えている場合には、いずれか一方についてのみ本発明の構成を採用することも可能である。
【００２１】
モード切替手段は、指示を入力する際に利用者が操作する入力手段（例えば操作パネル）、およびその入力手段を使って入力された指示に従った動作モードを設定する設定手段（例えばＣＰＵ、メモリなど）によって構成される。
【００２２】
制御手段は、画像読取装置の各部の動作を制御する装置であり、例えばマイクロコンピュータによって構成される。
【００２３】
以上のように構成された画像読取装置によれば、モード切替手段によってカラーモードに切り替えられた場合には、制御手段が、原稿の読み取り開始を利用者から指示されたか否かにかかわらず、原稿上の読取開始位置と第１の読取対象位置とを一致させる。その後
、原稿の読み取り開始を利用者から指示されたら、当該第１の読取対象位置と原稿との相対位置を変更しながら原稿を読み取る。一方、モード切替手段によってモノクロモードに切り替えられた場合には、制御手段が、原稿の読み取り開始を利用者から指示されたか否かにかかわらず、原稿上の読取開始位置と第２の読取対象位置とを一致させる。その後、原稿の読み取り開始を利用者から指示されたら、第２の読取対象位置と原稿との相対位置を変更しながら原稿を読み取る。
【００２４】
つまり、原稿上の読取開始位置と第１の読取対象位置とを一致させるまでの動作、もしくは、原稿上の読取開始位置と第２の読取対象位置とを一致させるまでの動作は、原稿の読み取り開始を利用者から指示されたか否かにかかわらず、モード切替手段によってモードが切り替えられた時点で実施される。したがって、これらの動作は、利用者が原稿の読み取り開始を指示した後の処理時間を増大させる原因にはならない。
【００２５】
そして、その後、原稿の読み取り開始を利用者から指示されたら、カラー画像を読み取る場合とモノクロ画像を読み取る場合とで、すでに両者の相対的な位置関係が異なる位置関係になっている。そのため、その位置からの相対移動を開始するタイミングと、イメージセンサで実際に原稿を読み取る処理を開始するタイミングを、カラー画像を読み取る場合とモノクロ画像を読み取る場合とで一致させても、原稿上の走査範囲が一致し、かつ、その読み取りに要する時間も一致する。
【００２６】
したがって、この画像読取装置によれば、カラー画像を読み取る場合とモノクロ画像を読み取る場合とでは、異なる読取対象位置から画像を読み取る複数組の画像読取素子を備えたイメージセンサを利用しているにもかかわらず、画像の読み取り処理に要する時間を増大させることなく、同一範囲から画像を読み取ることができる。
【００２７】
なお、本発明においては、さらに以下のような構成を採用すると望ましい。
【００２８】
まず、請求項２に記載の画像読取装置は、請求項１に記載の画像読取装置において、
前記カラー画像読取素子は、前記読取対象位置が異なる複数組の画像読取素子によって構成されていて、前記相対移動手段が前記イメージセンサと前記原稿とを相対移動させた際、原稿上の同一箇所が前記複数組の画像読取素子のそれぞれに対応する複数の前記読取対象位置を順に通過し、その通過中に各画像読取素子で原稿を読み取るように構成され、
前記制御手段は、前記複数組の画像読取素子のうち、最初に原稿の一部を読み取ることになる一組の画像読取素子に対応する前記読取対象位置を前記第１の読取対象位置として、前記カラーモードの場合の制御を実行する
ことを特徴とする。
【００２９】
この画像読取装置においては、カラー画像読取素子を構成する複数組の画像読取素子が、上述の如く配置されており、代表的な具体例で言えば、例えば３ラインタイプもしくは４ラインタイプのイメージセンサなどに相当する構成を備えている。そのため、ＲＧＢ色フィルタを周期的に配列したインラインタイプのもの等に比べると、第１の読取対象位置と第２の読取対象位置とが大きく離れやすいが、それにもかかわらず、画像の読み取り処理に要する時間を増大させることなく、同一範囲から画像を読み取ることができる。
【００３０】
次に、請求項３に記載の画像読取装置は、請求項２に記載の画像読取装置において、
前記イメージセンサが静止して前記原稿が移動する原稿移動モード、および前記原稿が静止して前記イメージセンサが移動するイメージセンサ移動モードのうち、いずれか一方または両方の移動モードを備えるとともに、少なくとも一方の移動モードにおいて、前記カラー画像読取素子は、前記最初に原稿の一部を読み取ることになる一組の画像読取素子が、前記第１の読取対象位置において原稿の一部を読み取るとともに、残りの画像読取素
子が、前記第１の読取対象位置よりも前記第２の読取対象位置に近い位置から前記第２の読取対象位置までの範囲において前記原稿の一部を読み取るように構成されている
ことを特徴とする。
【００３１】
この画像読取装置においては、カラー画像読取素子を構成する複数組の画像読取素子が、上述の如く配置されており、代表的な具体例で言えば、例えば３ラインタイプもしくは４ラインタイプのイメージセンサなどに相当する構成を備えている。しかも、第１、第２の読取対象位置が、残りの読取対象位置を挟んで反対側となる位置関係にあるので、第１の読取対象位置と第２の読取対象位置とが大きく離れやすいが、それにもかかわらず、画像の読み取り処理に要する時間を増大させることなく、同一範囲から画像を読み取ることができる。
【００３２】
次に、請求項４に記載の画像読取装置は、請求項３に記載の画像読取装置において、
前記イメージセンサおよび前記原稿のうち、前記相対移動手段による移動対象物が、最初は待機位置において静止した状態にあり、
前記相対移動手段が、前記待機位置から前記第１，第２の読取対象位置のいずれかと前記読取開始位置とを一致させる位置まで前記移動対象物を移動させる際には、前記原稿を読み取る時よりも速い速度で前記移動対象物を移動させる
ことを特徴とする。
【００３３】
この画像読取装置によれば、待機位置から第１，第２の読取対象位置のいずれかと読取開始位置とを一致させる位置まで移動対象物を移動させる際に、原稿を読み取る時よりも速い速度で移動対象物を移動させる。そのため、原稿を読み取る時と同じ速度で移動対象物を移動させるものに比べ、第１，第２の読取対象位置のいずれかと読取開始位置とを一致させる位置まで移動対象物を移動させる処理が迅速に完了する。
【００３４】
次に、請求項５に記載の画像読取装置は、請求項２〜請求項４のいずれかに記載の画像読取装置において、
前記イメージセンサが静止して前記原稿が移動する原稿移動モード、および前記原稿が静止して前記イメージセンサが移動するイメージセンサ移動モードの両方を備えており、
前記カラー画像読取素子のうち、前記最初に原稿の一部を読み取ることになる一組の画像読取素子が、前記原稿移動モードと前記イメージセンサ移動モードとでは、異なる画像読取素子となる
ことを特徴とする。
【００３５】
この画像読取装置においては、カラー画像読取素子のうち、最初に原稿の一部を読み取ることになる一組の画像読取素子が、原稿移動モードとイメージセンサ移動モードとでは、異なる画像読取素子となる。そのため、当該異なる画像読取素子のうち、いずれか一方の画像読取素子がモノクロ画像読取素子としても兼用される場合やモノクロ画像読取素子と隣接している場合でも、他方の画像読取素子はモノクロ画像読取素子の読取対象位置から離れた位置で画像を読み取ることになる。したがって、第１、第２の読取位置は、少なくとも原稿移動モードまたはイメージセンサ移動モードのいずれか一方のモードにおいて他方のモードより離れた位置となるが、それにもかかわらず、画像の読み取り処理に要する時間を増大させることなく、同一範囲から画像を読み取ることができる。
【００３６】
次に、請求項６に記載の画像読取装置は、請求項１〜請求項５のいずれかに記載の画像読取装置において、
読取対象となる原稿が存在すること、読取対象となる原稿を載置するための原稿載置面を覆うカバーが開けられたこと、前記カバーが閉められたこと、および利用者が各種指示を入力する際に利用する入力装置が操作されたことのうち、少なくとも一つの事象を検出
可能な検出手段と、
該検出手段によっていずれかの事象が検出された場合に、カラーモード／モノクロモードのいずれのモードとするのかを利用者から指示されたか否かにかかわらず、前記カラー画像読取素子と前記モノクロ画像読取素子の双方について、各画像読取素子の白レベル補正データを取得する白レベル補正データ取得手段と
を備えたことを特徴とする。
【００３７】
この画像読取装置において、白レベル補正データ取得手段は、この種の画像読取装置において周知の白レベル補正処理（シェーディング補正処理）に必要となる白レベル補正データを取得する手段である。この白レベル補正データ取得手段は、カラーモード／モノクロモードのいずれのモードとするのかを利用者から指示されたか否かにかかわらず、カラー画像読取素子とモノクロ画像読取素子の双方について、各画像読取素子の白レベル補正データを取得する点に特徴がある。そのため、カラーモード／モノクロモードのいずれのモードとするのかを利用者から指示された後に、指示されたモードに応じてカラー画像読取素子またはモノクロ画像読取素子の一方について白レベル補正データを取得するものに比べ、利用者がカラーモード／モノクロモードのいずれのモードとするのかを指示する前の段階で白レベル補正データの取得を開始できる。したがって、より早い時期に白レベル補正データの取得を完了させることができる。
【００３８】
しかも、白レベル補正データ取得手段が白レベル補正データの取得を開始するのは、検出手段が、読取対象となる原稿が存在すること、読取対象となる原稿を載置するための原稿載置面を覆うカバーが開けられたこと、前記カバーが閉められたこと、および利用者が各種指示を入力する際に利用する入力装置が操作されたことのうち、少なくとも一つの事象を検出したことを開始条件としている。そのため、その後に利用者から画像の読み取り指示が出される可能性はきわめて高い。したがって、例えば定期的に白レベル補正データを取得したり、他の条件で白レベル補正データを取得したりするものに比べ、白レベル補正データを取得したことが無駄になるケースを少なくし、電力消費やメカ的な負担を低減することができる。
【００３９】
次に、請求項７に記載の画像読取装置は、請求項６に記載の画像読取装置において、
前記白レベル補正データ取得手段は、画像を読み取る際の解像度が指定された後に、該解像度に対応した１つの白レベル補正データを取得する
ことを特徴とする。
【００４０】
この画像読取装置によれば、白レベル補正データ取得手段が、画像を読み取る際の解像度が指定された後に、該解像度に対応した１つの白レベル補正データを取得する。そのため、解像度が指定されるのを待つ必要はあるものの、その後は１つの白レベル補正データを取得するだけでよいので、白レベル補正データの取得にかかる時間を低減できる。
【００４１】
一方、請求項８に記載の画像読取装置は、請求項６に記載の画像読取装置において、
前記白レベル補正データ取得手段は、前記解像度が指定される前に、指定可能な解像度のすべてに対応した複数の白レベル補正データを取得する
ことを特徴とする。
【００４２】
この画像読取装置によれば、白レベル補正データ取得手段が、画像を読み取る際の解像度が指定される前に、指定可能な解像度のすべてに対応した複数の白レベル補正データを取得する。そのため、請求項７に記載の構成に比べ、複数の白レベル補正データを取得するのに時間を要するものの、解像度が指定されるのを待つ必要はないので、より早いタイミングで白レベル補正データの取得を開始することができる。したがって、最終的に白レベル補正データの取得が完了する時間を早めることができる。
【００４３】
なお、これら請求項７および請求項８に記載の構成は、いずれか一方の構成を任意に採用すればよいが、両方の構成を採用してもよい。両方の構成を採用する場合は、処理の開始時点で画像を読み取る際の解像度が指定済みかどうかを判断し、その判断結果に基づいて、請求項７または請求項８に記載のいずれの構成を利用するかを決定すればよい。
【００４４】
次に、請求項９に記載の画像読取装置は、請求項６〜請求項８のいずれかに記載の画像読取装置において、
前記カラー画像読取素子が、異なる色に対応する３組の光電変換素子列と、該３組の光電変換素子列からデータを入力する３組のバッファと、該３組のバッファから信号を出力する３つのチャンネルとを備え、
前記モノクロ画像読取素子が、１組の光電変換素子列と、該１組の光電変換素子列からデータを入力するとともに、異なる解像度に対応して利用するか否かの組み合わせが変わる３組のバッファと、該３組のバッファから信号を出力する３つのチャンネルとを備え、
前記カラー画像読取素子の備える３つのチャンネルと、前記モノクロ画像読取素子の備える３つのチャンネルとは、データ出力端が兼用されている
ことを特徴とする。
【００４５】
この画像読取装置によれば、カラー画像読取素子の備える３つのチャンネルと、モノクロ画像読取素子の備える３つのチャンネルとで、データ出力端が兼用されている。そのため、白レベル補正データ取得手段が、カラー画像読取素子とモノクロ画像読取素子の双方について、各画像読取素子の白レベル補正データの取得を行う際には、カラー画像読取素子およびモノクロ画像読取素子のうち、いずれか一方の処理が完了した後に他方の処理を開始しなければならず、両方を並列に処理可能なものよりも処理の開始から完了までに時間を要する可能性がある。しかし、上記請求項６〜請求項８に記載のいずれかの構成を備えているので、上述の如くデータ出力端が兼用されているにもかかわらず、十分に早い時期に白レベル補正データの取得を完了させることができる。
【００４６】
次に、請求項１０に記載の画像読取装置は、請求項１〜請求項９のいずれかに記載の画像読取装置において、
前記読取対象位置に存在する原稿の一部に光を照射する光源を備えており、
該光源から光を照射した際に、前記第１の読取対象位置に存在する原稿の一部よりも前記第２の読取対象位置において存在する原稿の一部が明るくなるように構成されている
ことを特徴とする。
【００４７】
この画像読取装置において、光源から光を照射した際に、第１の読取対象位置に存在する原稿の一部よりも第２の読取対象位置において存在する原稿の一部が明るくなるように構成する方法としては、光源を第１の読取対象位置よりも第２の読取対象位置の近くに配置する方法、複数の光源を用いて第１の読取対象位置よりも多くの光源から第２の読取対象位置に光を照射する方法、レンズ、ミラー、プリズム等の光学素子を利用して第１の読取対象位置よりも第２の読取対象位置に多くの光を集める方法など、任意の構成を採用することができる。
【００４８】
このように構成された画像読取装置によれば、第２の読取対象位置が第１の読取対象位置よりも明るくなり、第２の読取対象位置における読み取り感度を第１の読取対象位置よりも高くすることができる。したがって、モノクロ画像を読み取る場合により高速な走査が可能となる。
【発明を実施するための最良の形態】
【００４９】
次に、本発明の実施形態について一例を挙げて説明する。
【００５０】
本発明の実施形態として例示する画像読取装置は、イメージスキャナ／プリンタ／コピー／ファクシミリとしての機能を兼ね備えた複合機に組み込まれたものである。図１は、複合機１の斜視図である。
【００５１】
複合機１は、下側本体１ａに対して上側本体１ｂを開閉可能に取り付けてなるクラムシェル型の開閉構造を備えており、下側本体１ａに画像形成装置３（本実施形態ではレーザープリンタ）が組み込まれ、上側本体１ｂに画像読取装置５が組み込まれた構造になっている。また、上側本体１ｂの正面側には、操作パネル７が設けられている。
【００５２】
画像読取装置５は、ＦＢおよびＡＤＦの双方を備えるタイプのものである。この画像読取装置５自体も、フラットベッド部５ａに対してカバー部５ｂを開閉可能に取り付けてなるクラムシェル型の開閉構造を備えている。
【００５３】
この画像読取装置５において、フラットベッド部５ａには、図２に示すように、読取ヘッド１１、第１プラテンガラス１３、第２プラテンガラス１５、白板１７などが配設され、カバー部５ｂには、原稿供給トレイ２１、原稿搬送装置２３、原稿排出トレイ２５などが設けられている。
【００５４】
読取ヘッド１１は、イメージセンサ３１、いくつかのレンズやミラーからなる光学素子群３３、光源３５を備え、読取対象位置に存在する原稿に対して光源３５から光を照射し、原稿からの反射光を光学素子群３３によってイメージセンサ３１に集光し、イメージセンサ３１で画像を読み取るように構成されている。
【００５５】
また、読取ヘッド１１は、図３に示すように、一端に軸受３７を有し、他端にコロ３９を有している。そして、フラットベッド部５ａ内において第１プラテンガラス１３、第２プラテンガラス１５、および白板１７に対して平行に配設されているガイドバー４１を軸受３７に通すとともに、コロ３９をガイド面４３の上に搭載することにより、ガイドバー４１とガイド面４３との間に架設され、ガイドバー４１に沿って往復移動するように構成されている。コロ３９は、図２に示したように、上端側の一部が読取ヘッド１１の上方へ突出する状態になっていて、コロ３９との間にごく僅かな隙間（本実施形態では約０．５ｍｍの隙間）をなす位置にガイド部４５が形成されている。このような構造とすることにより、複合機１の移送時に発生する振動等によってガイドバー４１を中心に読取ヘッド１１を回動させるような力が読取ヘッド１１に作用した場合には、コロ３９がまずガイド部４５に当接する。これにより、読取ヘッド１１の回動が規制されるので、読取ヘッド１１本体と、第１プラテンガラス１３、第２プラテンガラス１５、および白板１７との衝突が防止される。
【００５６】
第１プラテンガラス１３は、ＦＢ側において原稿から画像を読み取る場合に利用されるものである。ＦＢを利用して原稿から画像を読み取る際には、利用者が、第１プラテンガラス１３の上に原稿を載置し、カバー部５ｂにて原稿を第１プラテンガラス１３に押し当て、その状態で操作パネル７において所定の操作を行う（例えば読取開始ボタンを押す。）。これにより、画像読取装置５は、読取ヘッド１１を第１プラテンガラス１３に沿って移動させながら原稿から画像を読み取る。
【００５７】
第２プラテンガラス１５は、ＡＤＦ側において原稿から画像を読み取る場合に利用されるものである。ＡＤＦを利用して原稿から画像を読み取る際には、利用者が、原稿供給トレイ２１上に原稿をセットし、その状態で操作パネル７において所定の操作を行う（例えば読取開始ボタンを押す。）。これにより、画像読取装置５は、原稿搬送装置２３を作動させて原稿を原稿供給トレイ２１から原稿排出トレイ２５へと搬送し、読取ヘッド１１を
第２プラテンガラス１５の下方で静止させたまま、第２プラテンガラス１５の上を通過する原稿から画像を読み取る。
【００５８】
白板１７は、白色の均一な濃度分布を持つ部材であり、この白板１７から画像を読み取って、その実測データを理想データに変換する際に必要となる白レベル補正データが取得される。以後は、この白レベル補正データを利用して、白レベル補正処理（シェーディング補正処理）が行われる。
【００５９】
なお、複合機１の下側本体１ａに組み込まれた画像形成装置３は、図１に示すように、複合機１の背面側にある給紙トレイ５１からシート状記録媒体（例えば、紙）を取り込んで、その記録媒体の記録面上に画像を形成し、画像が記録された記録媒体を、複合機１の正面側にある排紙口５３から排出する構造になっている。排紙口５３の下方には、引き出し式の排紙トレイ５５が格納されており、必要に応じて排紙トレイ５５を引き出して、排紙口５３から排出される記録紙を受けることができる。
【００６０】
次に、読取ヘッド１１についてさらに詳しく説明する。
【００６１】
この読取ヘッド１１が備えるイメージセンサ３１は、図４に示すように、カラー画像読取素子としてＲＧＢの各色に対応する３組の画像読取素子６１、６２、６３を備えるとともに、モノクロ画像読取素子として１組の画像読取素子６４を備えた４ラインリニアイメージセンサとなっている。
【００６２】
カラー画像読取素子の一部を構成するＲ（赤）用の画像読取素子６１は、フォトダイオードアレイ（本発明でいう光電変換素子列）からなる光電変換部６１ａ、６１ｂと、ＣＣＤシフトレジスタ（本発明でいうバッファ）からなる電荷転送部６１ｃ、６１ｄと、電荷転送部６１ｃ、６１ｄからのデータを出力する１つのチャンネル６１ｆとを備えている。
【００６３】
光電変換部６１ａ、６１ｂは、それぞれ１列に配列されたフォトダイオードアレイからなり、光電変換部６１ａと光電変換部６１ｂは、フォトダイオード半個分、即ち半画素分だけずらして配置され、光電変換部６１ａ、６１ｂ全体でフォトダイオードが千鳥配列となるように構成されている。光電変換部６１ａ、６１ｂの各列のフォトダイオードは６００ｄｐｉ（ｄｏｔ  ｐｅｒ  ｉｎｃｈ）の密度で配列され、光電変換部６１ａ、６１ｂの両方を利用することにより、１２００ｄｐｉでの読み取りが可能となっている。
【００６４】
電荷転送部６１ｃ、６１ｄは、光電変換部６１ａ、６１ｂにおいて光電変換されて並列に同時転送されてくる電荷を受けて、その電荷量を順次直列にシフトして出力端側へと出力するアナログシフトレジスタである。なお、Ｇ（緑）用の画像読取素子６２、Ｂ（青）用の画像読取素子６３は、色フィルターが異なる点を除き、画像読取素子６１と同様に構成されている。即ち、図４において、６２ａ、６２ｂ、６３ａ、６３ｂは光電変換部であり、６２ｃ、６２ｄ、６３ｃ、６３ｄは電荷転送部であり、６２ｆ、６３ｆはチャンネルである。図４には、それらの符号のみ付して詳細な説明は省略する。
【００６５】
モノクロ画像読取素子を構成する画像読取素子６４は、フォトダイオードアレイからなる光電変換部６４ａ、６４ｂと、ＣＣＤシフトレジスタからなる電荷転送部６４ｃ、６４ｄ、６４ｅと、電荷転送部６４ｃ、６４ｄ、６４ｅからのデータを出力する３つのチャンネル６４ｆ、６４ｇ、６４ｈとを備えている。
【００６６】
光電変換部６４ａ、６４ｂは、先に説明した光電変換部６１ａ、６１ｂと同様の構造になっており、それぞれフォトダイオードが６００ｄｐｉの密度で配列され、光電変換部６４ａ、６４ｂの両方で１２００ｄｐｉでの読み取りが可能となっている。なお、この画像
読取素子６４は、フォトダイオードの表面に色フィルターが無いため、上述したカラー用の画像読取素子６１〜６３よりも感度が高いものとなっている。
【００６７】
電荷転送部６４ｃ、６４ｄ、６４ｅは、光電変換部６４ａ、６４ｂにおいて光電変換されて並列に同時転送されてくる電荷を受けて、その電荷量を順次直列にシフトして出力端側へと出力するアナログシフトレジスタである。電荷転送部６４ｃは、光電変換部６４ａからの電荷を受け、電荷転送部６４ｄは、光電変換部６４ｂの奇数番目にある素子からの電荷を受け、電荷転送部６４ｅは、光電変換部６４ｂの偶数番目にある素子からの電荷を受けるように構成されている。なお、ここでは、素子の配列順序を、図４において右から左へ数えている。
【００６８】
このような構成とすることにより、３組の電荷転送部６４ｃ、６４ｄ、６４ｅからの出力で１２００ｄｐｉのデータが得られる他、１組の電荷転送部６４ｃまたは２組の電荷転送部６４ｄ、６４ｅからの出力で６００ｄｐｉのデータが得られる。また、３組の電荷転送部６４ｃ、６４ｄ、６４ｅのいずれかからの出力で３００ｄｐｉのデータが得られる構成となる。３００ｄｐｉのデータを得る場合は、電荷転送部６４ｃから得られる６００ｄｐｉのデータを３００ｄｐｉに変換（奇数番目と偶数番目を加算）して、より高画質な３００ｄｐｉデータ（以下、高画質３００ｄｐｉデータともいう。）を得ることができる。あるいは、電荷転送部６４ｄ、６４ｅのいずれかから、変換の手間をかけることなくより高速に３００ｄｐｉのデータ（以下、高速３００ｄｐｉデータともいう。）を得ることもできる。
【００６９】
電荷転送部６４ｃ、６４ｄ、６４ｅからのデータを出力する３つのチャンネル６４ｆ、６４ｇ、６４ｈは、カラー画像読取素子６１〜６３にそれぞれ対応する３つのチャンネル６１ｆ、６２ｆ、６３ｆと、データ出力端が兼用されている。そのため、カラー画像およびモノクロ画像のいずれを読み取る場合でも、このデータ出力端を介してデータが伝送される。なお、カラー画像読取素子６１〜６３／モノクロ画像読取素子６４のうち、どちらからのデータを転送するかについては、図示しないセレクタによりカラー／モノクロが選択されると切り替えられるように構成されている。
【００７０】
以上のような画像読取素子６１〜６４は、それぞれの光電変換部を構成するフォトダイオードの配列方向を主走査方向として、主走査方向と直交する副走査方向に間隔をあけて複数列のフォトダイオード列が配置されてた構造になっている。副走査方向の間隔は、各素子のサイズ（１ラインの読取幅：最大読取解像度に相当）の整数倍となるように調整されている。したがって、原稿と読取ヘッド１１とを副走査方向へ読み取り解像度単位で相対移動させながら、上記副走査方向の間隔を考慮したタイミングで１ライン分の画像を読み取れば、各画像読取素子６１〜６４のぞれぞれで読取対象位置が異なるものの、原稿上の同一位置から１ライン分の画像を読み取ることができる。
【００７１】
さらに、画像読取装置５は、図５に示すように、画像読取装置５全体の動作を制御する制御装置７１と、カバー部５ｂの開閉動作を検出するカバーセンサ７３と、原稿供給トレイ２１に原稿がセットされたことを検出する原稿供給トレイセンサ７５とを備えている。また、制御装置７１には、原稿搬送装置２３、読取ヘッド１１を副走査方向へ移動するように駆動するためのステッピングモータ７９、操作パネル７などが接続されている。
【００７２】
制御装置７１は、周知のマイクロコンピュータを中心にして、イメージセンサ３１やステッピングモータ７９の動作を制御するための制御回路、イメージセンサ３１からデータを入力するためのデータ入力回路およびメモリ、画像形成装置３に関する制御系や通信装置に関する制御系とのインターフェイス回路などを備えてなる。この制御装置７１がメモリに記憶されたプログラムに従って動作することにより、イメージセンサ３１を制御して
カラー画像／モノクロ画像の切り替えを行ったり、解像度の切り替えを行うなど、画像読取に関する各種処理が実行される。
【００７３】
なお、複合機１は、画像読取装置５に関する制御系の他に、画像形成装置３に関する制御系や通信装置に関する制御系を備えており、これらが連携してプリンタ／コピー／ファクシミリとしての機能を提供している。ただし、画像形成装置や通信装置の制御系に関しては、本発明の要部ではないので、ここで説明および図示を省略する。
【００７４】
次に、画像読取装置５において実行される画像読取処理について、図６のフローチャートを参照しながら説明する。この画像読取処理は、画像読取装置５の稼働時に制御装置７１が常に実行している処理である。
【００７５】
まず、制御装置７１は、原稿供給トレイセンサ７５によってＡＤＦ（原稿搬送装置２３の原稿供給トレイ２１）に原稿がセットされているか否かを検出する（Ｓ１１０）。また、カバーセンサ７３によってカバー部５ｂの状態が開状態から閉状態もしくは閉状態から開状態に変化したか否かを検出する（Ｓ１２０）。さらに操作パネル７において何らかの操作がなされたか否かを検出する（Ｓ１３０）。これらの事象すべてが検出されない場合には（Ｓ１１０：ＮＯ、且つＳ１２０：ＮＯ、且つＳ１３０：ＮＯ）、Ｓ１１０〜Ｓ１３０の処理を繰り返す。
【００７６】
一方、上記いずれかの事象を検出した場合は（Ｓ１１０：ＹＥＳ、またはＳ１２０：ＹＥＳ、またはＳ１３０：ＹＥＳ）、カラー画像読取素子とモノクロ画像読取素子の双方について、各画像読取素子の白レベル補正データを取得する（Ｓ１４０、Ｓ１５０）。白レベル補正データは、実際に読取ヘッド１１を白板１７の範囲内で移動させながら白板１７から数ヶ所で画像を読み取って、その実測データと理想データと差異に基づいて算出される。この画像読取装置５においては、カラー画像読取素子とモノクロ画像読取素子とでそれぞれ３チャンネルあるデータ出力端が兼用されているので、各画像読取素子の白レベル補正データは、まずカラー画像読取素子用が取得され、その後でモノクロ画像読取素子用が取得される。また、白レベル補正データは、解像度３００ｄｐｉ、６００ｄｐｉ、１２００ｄｐｉのそれぞれに対応するものが取得される。
【００７７】
ここで、解像度３００ｄｐｉ、６００ｄｐｉの読み取りに使用される読取素子は、解像度１２００ｄｐｉの場合においても必ず使用されるので、１２００ｄｐｉに対応する白レベル補正データがあれば、その中から３００ｄｐｉ、６００ｄｐｉに対応する白レベル補正データを抽出することは可能である。
【００７８】
例えば、３００ｄｐｉ、１２００ｄｐｉに対応する白レベル補正データは、それぞれ図７（ａ）、同図（ｂ）に示すようなデータ構造になっている。図７において、データＢＷ１は、電荷転送部６４ｃからチャンネル６４ｆを介して送られてくるデータであり、データＢＷ２は、電荷転送部６４ｄからチャンネル６４ｇを介して送られてくるデータであり、データＢＷ３は、電荷転送部６４ｅからチャンネル６４ｈを介して送られてくるデータである。１２００ｄｐｉに対応する白レベル補正データ中には、データＢＷ２が含まれているので、図７（ｂ）に示すような１２００ｄｐｉに対応する白レベル補正データがあれば、３００ｄｐｉに対応する白レベル補正データを抽出することは可能である。
【００７９】
しかし、１２００ｄｐｉに対応する白レベル補正データ中には、解像度３００ｄｐｉ、６００ｄｐｉに対応する白レベル補正データＢＷ２、ＢＷ３と、それ以外のデータ（例えば１２００ｄｐｉのみで必要なデータＢＷ１）とが交互に格納されている。そのため、図７（ｂ）に示すような１２００ｄｐｉに対応する白レベル補正データ中から、３００ｄｐｉ、６００ｄｐｉに対応する白レベル補正データを抽出するには、不要なデータを読み飛
ばしながら白レベル補正処理を実行しなければならず、その分だけ処理時間が増大する。
【００８０】
これに対し、あらかじめ、図７（ｂ）に示すような１２００ｄｐｉに対応するものとは別に、図７（ａ）に示すような解像度３００ｄｐｉ（あるいは、６００ｄｐｉ）に対応するデータを取得しておけば、余計な読み飛ばし処理が不要となるので、白レベル補正処理を迅速に処理することができるようになる。
【００８１】
さて次に、原稿供給トレイセンサ７５によって再びＡＤＦに原稿がセットされているか否かを検出し（Ｓ１６０）、原稿がセットされている場合は（Ｓ１６０：ＹＥＳ）、操作パネル７においてモノクロモードが指定されているかどうかをチェックする（Ｓ１７０）。ここで、モノクロモードが指定されている場合は（Ｓ１７０：ＹＥＳ）、ステッピングモータ７９を制御して読取ヘッド１１をＡＤＦ＿Ｂ／Ｗ位置（図８参照；詳しくは後述）へ移動させる（Ｓ１８０）。ここでの移動時には、イメージセンサ３１による画像の読み取りが行われないので、読み取りを行う場合よりも高速に読取ヘッド１１を移動させる。
【００８２】
続いて、解像度モードが３００ｄｐｉ高速モードであれば（Ｓ１９０：ＹＥＳ）、３００ｄｐｉ高速モードに対応した白レベル補正データを使用するように設定する（Ｓ２００）。３００ｄｐｉ高速モードに対応した白レベル補正データは、イメージセンサ３１の画像読取素子６４から、電荷転送部６４ｄ、６４ｅのいずれかを介して得た３００ｄｐｉ相当の補正値である。
【００８３】
また、解像度モードが３００ｄｐｉ高画質モードであれば（Ｓ２１０：ＹＥＳ）、３００ｄｐｉ高画質モードに対応した白レベル補正データを使用するように設定する（Ｓ２２０）。３００ｄｐｉ高画質モードに対応した白レベル補正データは、イメージセンサ３１の画像読取素子６４から、電荷転送部６４ｃを介して得た６００ｄｐｉ相当の補正値である。
【００８４】
また、解像度モードが６００ｄｐｉモードであれば（Ｓ２３０：ＹＥＳ）、６００ｄｐｉモードに対応した白レベル補正データを使用するように設定する（Ｓ２４０）。６００ｄｐｉモードに対応した白レベル補正データは、イメージセンサ３１の画像読取素子６４から、電荷転送部６４ｄ、６４ｅの両方を介して得た６００ｄｐｉ相当の補正値である。
【００８５】
また、解像度モードが１２００ｄｐｉモードであれば（Ｓ２５０：ＹＥＳ）、１２００ｄｐｉモードに対応した白レベル補正データを使用するように設定する（Ｓ２６０）。１２００ｄｐｉモードに対応した白レベル補正データは、イメージセンサ３１の画像読取素子６４から、電荷転送部６４ｃ、６４ｄ、６４ｅのすべてを介して得た１２００ｄｐｉ相当の補正値である。
【００８６】
そして、上記Ｓ１９０〜Ｓ２６０の処理を経て、使用する白レベル補正データを決定したら、以後は利用者からの読取開始指示に従って、原稿から画像を読み取る動作を開始する（Ｓ２７０）。この読取動作は、ＦＢを利用して原稿から画像を読み取る場合であれば、読取ヘッド１１が第１プラテンガラス１３に沿って移動しながら原稿から画像を読み取る動作となる。また、ＡＤＦを利用して原稿から画像を読み取る場合であれば、原稿搬送装置２３が作動して原稿が原稿供給トレイ２１から原稿排出トレイ２５へと搬送され、読取ヘッド１１が第２プラテンガラス１５の下方で静止したまま、第２プラテンガラス１５の上を通過する原稿から画像を読み取る動作となる。なお、これらの動作自体は公知なので詳細な説明は省略する。
【００８７】
続いて、読取動作を終了したら（Ｓ２８０）、読取ヘッド１１をいったん原点位置に移動させて（Ｓ２９０）、読取ヘッド１１の原点出しを行い、読取ヘッド１１を待機位置ま
で移動させ（Ｓ３００）、以後はＳ１１０からの処理を再び繰り返す。
【００８８】
さて、上記Ｓ１７０の処理において、モノクロモードが指定されていなかった場合は（Ｓ１７０：ＮＯ）、操作パネル７においてカラーモードが指定されているかどうかをチェックする（Ｓ３１０）。ここで、カラーモードが指定されている場合は（Ｓ３１０：ＹＥＳ）、ステッピングモータ７９を制御して読取ヘッド１１をＡＤＦ＿カラー位置（図８参照；詳しくは後述）へ移動させる（Ｓ３２０）。ここでの移動時には、イメージセンサ３１による画像の読み取りが行われないので、読み取りを行う場合（Ｓ２７０の処理）よりも高速に読取ヘッド１１を移動させる。以後は、上述のＳ２７０〜Ｓ３００の処理を実行し、Ｓ１１０からの処理を再び繰り返す。
【００８９】
ところで、Ｓ２７０の処理においては、イメージセンサ３１による画像の読み取りが行われるので、Ｓ１８０の処理よりも低速で読取ヘッド１１を移動させるが、さらにカラーモード／モノクロモードのいずれが指定されているかによっても、読取ヘッド１１の移動速度が変更される。すなわち、モノクロモードは、カラーモードよりも高速性を重視した構成になっており、具体的には、光源３５から読取対象位置ｂｗまでの距離は、光源３５から読取対象位置ｂまでの距離よりも近くて、読取対象位置ｂｗは読取対象位置ｂよりも明るくなっている。しかも、カラー用の画像読取素子６１〜６３は、色フィルターによる感度低下もあるため、モノクロ用の画像読取素子６４は、カラー用の画像読取素子６１〜６３よりも短時間で１ライン分の画像を読み取ることができる。そこで、モノクロモードの場合は、読取ヘッド１１をカラーモードの場合よりも高速で移動させることにより、迅速な読み取り処理を行う。また、カラーモードの場合は、読取ヘッド１１をモノクロモードの場合よりも低速で移動させることにより、１ライン分の画像を読み取る際のイメージセンサ３１に対する露光時間を十分に確保する。
【００９０】
一方、Ｓ３１０の処理において、カラーモードが指定されていなかった場合は（Ｓ３１０：ＮＯ）、Ｓ１４０、Ｓ１５０の処理において白レベル補正データを取得してから５分経過したかどうかをチェックする（Ｓ３３０）。ここで、経過時間が５分未満である場合は（Ｓ３３０：ＮＯ）、Ｓ１７０の処理へと戻り、カラーモードかモノクロモードが指定されるまで待機することになる。また、経過時間が５分以上である場合は（Ｓ３３０：ＹＥＳ）、Ｓ１１０の処理へと戻り、本処理を最初からやり直すことになる。このように経過時間によって処理を分岐させるのは、白レベル補正データを取得してから長時間が経過すると、イメージセンサ３１その他の特性が変動することがあり、それに応じて白レベル補正データも変更しないと、適正な白レベル補正を実施できなくなるからである。
【００９１】
さて、Ｓ１６０の処理において、原稿がセットされていない場合は（Ｓ１６０：ＮＯ）、操作パネル７においてモノクロモードが指定されているかどうかをチェックする（Ｓ３４０）。ここで、モノクロモードが指定されている場合は（Ｓ３４０：ＹＥＳ）、ステッピングモータ７９を制御して読取ヘッド１１をＦＢ＿Ｂ／Ｗ位置（図８参照；詳しくは後述）へ移動させる（Ｓ３５０）。ここでの移動時には、イメージセンサ３１による画像の読み取りが行われないので、読み取りを行う場合よりも高速に読取ヘッド１１を移動させる。以後は、上述のＳ１９０〜Ｓ２６０の処理を経て、Ｓ２７０〜Ｓ３００の処理を実行し、Ｓ１１０からの処理を再び繰り返す。なお、ここでは、モノクロモードが指定されているので、上述の通り、Ｓ２７０の処理ではカラーモードの場合よりも高速な読み取り処理が実行される。
【００９２】
上記Ｓ３４０の処理において、モノクロモードが指定されていなかった場合は（Ｓ３４０：ＮＯ）、操作パネル７においてカラーモードが指定されているかどうかをチェックする（Ｓ３６０）。ここで、カラーモードが指定されている場合は（Ｓ３６０：ＹＥＳ）、ステッピングモータ７９を制御して読取ヘッド１１をＦＢ＿カラー位置（図８参照；詳し
くは後述）へ移動させる（Ｓ３７０）。ここでの移動時には、イメージセンサ３１による画像の読み取りが行われないので、読み取りを行う場合よりも高速に読取ヘッド１１を移動させる。以後は、上述のＳ２７０〜Ｓ３００の処理を実行し、Ｓ１１０からの処理を再び繰り返す。なお、ここでは、カラーモードが指定されているので、上述の通り、Ｓ２７０の処理ではモノクロモードの場合よりも低速な読み取り処理が実行される。
【００９３】
一方、Ｓ３６０の処理において、カラーモードが指定されていなかった場合は（Ｓ３６０：ＮＯ）、Ｓ１４０、Ｓ１５０の処理において白レベル補正データを取得してから５分経過したかどうかをチェックする（Ｓ３８０）。ここで、経過時間が５分未満である場合は（Ｓ３８０：ＮＯ）、Ｓ３４０の処理へと戻り、カラーモードかモノクロモードが指定されるまで待機することになる。また、経過時間が５分以上である場合は（Ｓ３８０：ＹＥＳ）、Ｓ１１０の処理へと戻り、本処理を最初からやり直すことになる。
【００９４】
以上説明した画像読取処理において、ＡＤＦ／ＦＢのいずれを用いるかとカラーモード／モノクロモードのいずれが指定されているかは、４通りの組み合わせを考え得るが、この４通りの組み合わせに対して、Ｓ１８０、Ｓ３２０、Ｓ３５０、Ｓ３７０の４通りの処理が一対一で対応し、いずれかの処理が実行されることになる。
【００９５】
図８は、画像読取素子６１〜６４の読取対象位置ｒ、ｇ、ｂ、ｂｗと、ＦＢ側における読取開始位置ｐ１と、ＡＤＦ側における読取位置ｐ２との位置関係を示した図である。
【００９６】
ＡＤＦを使用し且つモノクロモードが指定されている場合は、上記Ｓ１８０の処理が実行され、読取ヘッド１１は、図８中のＡＤＦ＿Ｂ／Ｗ位置へと移動する。この場合、画像読取素子６４の読取対象位置ｂｗが本発明でいう第２の読取対象位置となり、その読取対象位置ｂｗとＡＤＦ側における読取位置ｐ２とが一致するように、読取ヘッド１１を移動させることになる。
【００９７】
ＡＤＦを使用し且つカラーモードが指定されている場合は、上記Ｓ３２０の処理が実行され、読取ヘッド１１は、図８中のＡＤＦ＿カラー位置へと移動する。この場合、画像読取素子６３の読取対象位置ｂが本発明でいう第１の読取対象位置となり、その読取対象位置ｂとＡＤＦ側における読取位置ｐ２とが一致するように、読取ヘッド１１を移動させることになる。
【００９８】
なお、画像読取素子６３の読取対象位置ｂが本発明でいう第１の読取対象位置となるのは、ＡＤＦによる原稿の搬送方向と読取対象位置ｒ、ｇ、ｂの並び順によって決まることである。原稿の搬送方向が逆になったり、読取対象位置ｒ、ｇ、ｂの並び順が変われば、読取対象位置ｒ、ｇ、ｂのいずれが本発明でいう第１の読取対象位置となるのかは変わりうる。
【００９９】
ＡＤＦを使用せず且つモノクロモードが指定されている場合は、上記Ｓ３５０の処理が実行され、読取ヘッド１１は、図８中のＦＢ＿Ｂ／Ｗ位置へと移動する。この場合、画像読取素子６４の読取対象位置ｂｗが本発明でいう第２の読取対象位置となり、その読取対象位置ｂｗとＦＢ側における読取開始位置ｐ１とが一致するように、読取ヘッド１１を移動させることになる。
【０１００】
ＡＤＦを使用せず且つカラーモードが指定されている場合は、上記Ｓ３７０の処理が実行され、読取ヘッド１１は、図８中のＦＢ＿カラー位置へと移動する。この場合、画像読取素子６１の読取対象位置ｒが本発明でいう第１の読取対象位置となり、その読取対象位置ｒとＦＢ側における読取開始位置ｐ１とが一致するように、読取ヘッド１１を移動させることになる。
【０１０１】
なお、画像読取素子６１の読取対象位置ｒが本発明でいう第１の読取対象位置となるのも、ＦＢでの読取ヘッド１１の移動方向と読取対象位置ｒ、ｇ、ｂの並び順によって決まることである。原稿の搬送方向が逆になったり、読取対象位置ｒ、ｇ、ｂの並び順が変われば、読取対象位置ｒ、ｇ、ｂのいずれが本発明でいう第１の読取対象位置となるのかは変わりうる。
【０１０２】
以上説明したように、この複合機１が備える画像読取装置５によれば、操作パネル７（本発明でいうモード切替手段に相当。）によってカラーモードに切り替えられた場合には、画像読取装置５の備える制御装置７１（本発明でいう制御手段に相当。）が、Ｓ２７０以降の処理を実行するのに先立ち、原稿の読み取り開始を利用者から指示されたか否かにかかわらず、ＦＢ側における読取開始位置ｐ１（本発明でいう原稿上の読取開始位置に相当。）と読取対象位置ｒ（本発明でいう第１の読取対象位置に相当。）とを一致させる。もしくはＡＤＦ側における読取位置ｐ２（本発明でいう原稿上の読取開始位置に相当。）と読取対象位置ｂ（本発明でいう第１の読取対象位置に相当。）とを一致させる。その後、原稿の読み取り開始を利用者から指示されたら、Ｓ２７０以降の処理を実行することにより、読取対象位置ｒまたはｂと原稿との相対位置を変更しながら原稿を読み取る。一方、操作パネル７によってモノクロモードに切り替えられた場合には、制御装置７１が、Ｓ２７０以降の処理を実行するのに先立ち、原稿の読み取り開始を利用者から指示されたか否かにかかわらず、ＦＢ側における読取開始位置ｐ１と読取対象位置ｂｗ（本発明でいう第２の読取対象位置に相当。）とを一致させる。もしくはＡＤＦ側における読取位置ｐ２と読取対象位置ｂｗ（本発明でいう第２の読取対象位置に相当。）とを一致させる。その後、原稿の読み取り開始を利用者から指示されたら、Ｓ２７０以降の処理を実行することにより、読取対象位置ｂｗと原稿との相対位置を変更しながら原稿を読み取る。
【０１０３】
原稿上の読取開始位置と第１、第２の読取対象位置とを一致させるまでの動作は、原稿の読み取り開始を利用者から指示されたか否かにかかわらず、操作パネル７によってモードが切り替えられた時点で実施される。したがって、これらの動作は、利用者が原稿の読み取り開始を指示した後の処理時間を増大させる原因にはならない。また、その後、原稿の読み取り開始を利用者から指示されたら、カラー画像を読み取る場合とモノクロ画像を読み取る場合とで、すでに両者の相対的な位置関係が異なる位置関係になっている。そのため、その位置からの相対移動を開始するタイミングと、読取ヘッド１１のイメージセンサ３１で実際に原稿を読み取る処理を開始するタイミングを、カラー画像を読み取る場合とモノクロ画像を読み取る場合とで一致させても、原稿上の走査範囲が一致し、かつ、その読み取りに要する時間も一致する。
【０１０４】
したがって、この画像読取装置５によれば、カラー画像を読み取る場合とモノクロ画像を読み取る場合とでは、異なる読取対象位置ｒ、ｂ、ｂｗから画像を読み取る４ラインタイプのイメージセンサ３１を利用しているにもかかわらず、画像の読み取り処理に要する時間を増大させることなく、同一範囲から画像を読み取ることができる。
【０１０５】
特に、この画像読取装置５の場合、イメージセンサ３１は、４ラインタイプのものなので、最も離れた位置にあるラインに対応した読取対象位置間の間隔は、ライン数が少ないものに比べて大きくなりやすい傾向がある。また、ＦＢ側を利用する際には、第１、第２の読取対象位置ｒ、ｂｗが、残りの読取対象位置ｇ、ｂを挟んで反対側となる位置関係にあるので、第１の読取対象位置ｒと第２の読取対象位置ｂｗとが大きく離れやすい。しかし、上述の如く事前に読取ヘッド１１を移動させておくので、画像の読取開始から読取終了までの動作時間は、最初に画像を読み取るラインがどのラインになる場合でも同一にできる。
【０１０６】
また、この画像読取装置５において、Ｓ２７０の処理では、待機位置から第１，第２の読取対象位置のいずれかと読取開始位置とを一致させる位置まで読取ヘッド１１を移動させる際に、原稿を読み取る時よりも速い速度で読取ヘッド１１を移動させる。そのため、原稿を読み取る時と同じ速度で読取ヘッド１１を移動させるものに比べ、第１，第２の読取対象位置のいずれかと読取開始位置とを一致させる位置まで読取ヘッド１１を移動させる処理が迅速に完了する。
【０１０７】
さらに、この画像読取装置５において、Ｓ１４０、Ｓ１５０の処理を実行する制御装置７１（本発明でいう白レベル補正データ取得手段に相当。）は、カラーモード／モノクロモードのいずれのモードとするのかを利用者から指示されたか否かにかかわらず、カラー用の画像読取素子６１〜６３とモノクロ用の画像読取素子６４の双方について、各画像読取素子の白レベル補正データを取得する。そのため、カラーモード／モノクロモードのいずれのモードとするのかを利用者から指示された後に、指示されたモードに応じてカラー画像読取素子またはモノクロ画像読取素子の一方について白レベル補正データを取得するものに比べ、利用者がカラーモード／モノクロモードのいずれのモードとするのかを指示する前の段階で白レベル補正データの取得を開始できる。したがって、より早い時期に白レベル補正データの取得を完了させることができる。
【０１０８】
しかも、Ｓ１１０〜Ｓ１３０の処理により、読取対象となる原稿が存在すること、読取対象となる原稿を載置するための原稿載置面を覆うカバー部５ｂが開けられたこと、前記カバー部５ｂが閉められたこと、および利用者が各種指示を入力する際に利用する操作パネル７が操作されたことのうち、少なくとも一つの事象を検出したことを開始条件として、白レベル補正データを取得している。そのため、その後に利用者から画像の読み取り指示が出される可能性はきわめて高い。したがって、例えば定期的に白レベル補正データを取得したり、他の条件で白レベル補正データを取得したりするものに比べ、白レベル補正データを取得したことが無駄になるケースを少なくし、電力消費やメカ的な負担を低減することができる。
【０１０９】
また、Ｓ１４０、Ｓ１５０の処理では、画像を読み取る際の解像度が指定される前に、指定可能な解像度のすべてに対応した複数の白レベル補正データを取得する。そのため、複数の白レベル補正データを取得するのに時間を要するものの、解像度が指定されるのを待つ必要はない。したがって、より早いタイミングで白レベル補正データの取得を開始することができ、最終的に白レベル補正データの取得が完了する時間を早めることができる。また、実際に白レベル補正処理を行う際にも、解像度に応じた白レベル補正データが用意されているので、過剰なデータが含まれている中から必要なデータだけを抽出する構成よりも、迅速にデータ処理を行うことができる。
【０１１０】
さらに、この画像読取装置５によれば、カラー画像読取素子の備える３つのチャンネル６４ｆ、６４ｇ、６４ｈと、モノクロ画像読取素子の備える３つのチャンネル６１ｆ、６２ｆ、６３ｆとで、データ出力端が兼用されている。そのため、各画像読取素子の白レベル補正データの取得を行う際には、カラー画像読取素子およびモノクロ画像読取素子のうち、いずれか一方の処理が完了した後に他方の処理を開始しなければならず、両方を並列に処理可能なものよりも処理の開始から完了までに時間を要する可能性がある。しかし、上述の通り、白レベル補正データの取得を行うタイミングが画像の読取を開始するタイミングに比べて十分に早い時期になるので、白レベル補正データの取得によって画像の読み取りが遅くなるといった問題がない。
【０１１１】
加えて、この画像読取装置５によれば、読取対象位置ｂｗが読取対象位置ｒ、ｂよりも明るくなり、読取対象位置ｂｗにおける読み取り感度を読取対象位置ｒ、ｂよりも高くすることができる。したがって、モノクロ画像を読み取る場合に、より高速な走査が可能と
なる。
【０１１２】
以上、本発明の実施形態について説明したが、本発明は上記の具体的な一実施形態に限定されず、この他にも種々の形態で実施することができる。
【０１１３】
例えば、上記実施形態では、ＦＢおよびＡＤＦを備えた画像読取装置５を例示したが、ＦＢまたはＡＤＦのいずれか一方を備えた画像読取装置において本発明の構成を採用することもできる。
【０１１４】
また、上記実施形態においては、ＡＤＦ側を利用する場合に、原稿の搬送量を変更することなく、読取ヘッド１１を移動させることにより、カラーモード／モノクロモードに応じて原稿上の読取開始位置と第１、第２の読取対象位置とを一致させていたが、読取ヘッド１１を移動させることなく、原稿の搬送量を変更することにより、カラーモード／モノクロモードに応じて原稿上の読取開始位置と第１、第２の読取対象位置とを一致させてもよい。このような構成であれば、ＡＤＦのみを備える画像読取装置の場合に、第１、第２の読取対象位置が存在しても、それに合わせて、読取処理開始前における原稿の搬送量が最適化される。
【０１１５】
また、上記実施形態では、解像度が指定される前に、指定可能な解像度のすべてに対応した複数の白レベル補正データを取得するように構成してあったが、画像を読み取る際の解像度が指定された後に、その解像度に対応した１つの白レベル補正データを取得するように構成してもよい。ただし、上記実施形態の如く構成する方が、事前のデータ処理量は多くなるものの、実際に白レベル補正を行う際のデータ処理量は少なくなるので、高速化を図る上では有利である。
【図面の簡単な説明】
【０１１６】
【図１】画像読取装置が組み込まれた複合機を示す斜視図である。
【図２】画像読取装置を示す縦断面図である。
【図３】図２中の矢印Ａ方向から見た読取ヘッドとその周辺を示す縦断面図である。
【図４】イメージセンサの概略構造図である。
【図５】画像読取装置の制御系を示すブロック図である。
【図６】画像読取処理を示すフローチャートである。
【図７】白レベル補正データのデータ構造図であり、（ａ）は３００ｄｐｉデータに対応する図、（ｂ）は１２００ｄｐｉデータに対応する図である。
【図８】第１、第２の読取位置と読取開始位置との位置関係を示す説明図である。
【符号の説明】
【０１１７】
１・・・複合機、１ａ・・・下側本体、１ｂ・・・上側本体、３・・・画像形
成装置、５・・・画像読取装置、５ａ・・・フラットベッド部、５ｂ・・・カバ
ー部、７・・・操作パネル、１１・・・読取ヘッド、１３・・・第１プラテンガ
ラス、１５・・・第２プラテンガラス、１７・・・白板、２１・・・原稿供給ト
レイ、２３・・・原稿搬送装置、２５・・・原稿排出トレイ、３１・・・イメー
ジセンサ、３３・・・光学素子群、３５・・・光源、３７・・・軸受、３９・・
・コロ、４１・・・ガイドバー、４３・・・ガイド面、４５・・・ガイド部、５
１・・・給紙トレイ、５３・・・排紙口、５５・・・排紙トレイ、６１，６２，
６３，６４・・・画像読取素子、６１ａ，６１ｂ，６２ａ，６２ｂ，６３ａ，６
３ｂ，６４ａ，６４ｂ・・・光電変換部、６１ｃ，６１ｄ，６２ｃ，６２ｄ，６
３ｃ，６３ｄ，６４ｃ，６４ｄ，６４ｅ・・・電荷転送部、６１ｆ，６２ｆ，６
３ｆ，６４ｆ，６４ｇ，６４ｈ・・・チャンネル、７１・・・制御装置、７３・
・・カバーセンサ、７５・・・原稿供給トレイセンサ、７７・・・イメージセン
サ制御回路、７９・・・ステッピングモータ。
【図１】
2008099338.tif 000003
【図２】
2008099338.tif 000004
【図３】
2008099338.tif 000005
【図４】
2008099338.tif 000006
【図５】
2008099338.tif 000007
【図６】
2008099338.tif 000008
【図７】
2008099338.tif 000009
【図８】
2008099338.tif 000010
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
読取対象位置に存在する原稿の一部から画像を読み取り可能な画像読取素子を複数組備えており、該複数組の画像読取素子のうち、いくつかの組によって前記原稿の一部をカラー画像として読み取るカラー画像読取素子が構成され、いくつかの組によって前記原稿の一部をモノクロ画像として読み取るモノクロ画像読取素子が構成されるイメージセンサと、
前記原稿上の読取開始位置から読取終了位置までの範囲が前記読取対象位置を順に通過するように、前記イメージセンサおよび前記原稿のうち、一方を他方に対して相対的に移動させる相対移動手段と、
前記原稿をカラー画像として読み取るカラーモードおよび原稿をモノクロ画像として読み取るモノクロモードのうち、いずれのモードで原稿を読み取るのかを、利用者からの指示に従って切り替えるモード切替手段と、
該モード切替手段により、前記カラーモードに切り替えられた場合は、前記カラー画像読取素子を利用する一方、前記モノクロモードに切り替えられた場合は、前記モノクロ画像読取素子を利用し、前記相対移動手段によって前記イメージセンサと前記原稿との相対位置を変更しながら前記イメージセンサで前記原稿の一部を読み取る処理を繰り返すことにより、原稿からカラー画像またはモノクロ画像を読み取るように制御する制御手段と
を備えた画像読取装置であって、
前記イメージセンサが、前記カラー画像読取素子で原稿を読み取る場合は第１の読取対象位置を利用する一方、前記モノクロ画像読取素子で原稿を読み取る場合は前記第１の読取対象位置とは異なる第２の読取対象位置を利用する構造でとされており、
当該画像読取装置が原稿の読み取り動作に対して待機状態にあるとき、利用者による所定の操作を検出する検出手段と、
前記カラー画像読取素子と前記モノクロ画像読取素子から白レベル補正データを取得する白レベル補正データ取得手段と、を備え、
前記制御手段は、前記検出手段が前記所定の操作を検出したとき、前記白レベル補正データ取得手段に、前記カラー画像読取素子及びモノクロ画像読取素子の白レベル補正データを取得させた後に、前記モード切替手段により切り替えられたモードに応じて、前記相対移動手段に、前記原稿上の読取開始位置と、前記第１の読取対象位置又は前記第２の読取対象位置とを一致させるとともに、前記白レベル補正データ取得手段に、取得した白レベルデータのうち使用する白レベル補正データを設定させてから、画像読取を開始する
ことを特徴とする画像読取装置。
【請求項２】
前記制御手段は、モノクロ画像読取用の白補正データに関して、当該装置において指定可能な解像度毎にすべて取得する
ことを特徴とする請求項１に記載の画像読取装置。
【請求項３】
前記制御手段は、同じ解像度であっても異なる画像読取素子から取得される複数の白レベル補正データが存在する場合には、すべての白補正データを取得する
ことを特徴とする請求項２に記載の画像読取装置。
【請求項４】
前記相対移動手段が、前記原稿上の読取開始位置と、前記イメージセンサの前記第１の読取対象位置又は前記第２の読取対象位置とを一致させるときのイメージセンサと原稿との間の相対速度は、画像読取時のイメージセンサと原稿との間の相対速度よりも速い
ことを特徴とする請求項１〜至請求項３のいずれかに記載の画像読取装置。
【請求項５】
前記検出手段が検出する利用者による所定の操作は、原稿が所定の位置に存在すること、原稿を載置するための原稿載置面を覆うカバーの開閉、および利用者が各種指示を入力する際に利用する入力装置が操作されたことのうち、少なくとも一つの事象である
ことを特徴とする請求項１〜至請求項４のいずれかに記載の画像読取装置。
【請求項６】
前記カラー画像読取素子が、異なる色に対応する３組の光電変換素子列と、該３組の光電変換素子列からデータを入力する３組のバッファと、該３組のバッファから信号を出力する３つのチャンネルとを備え、
前記モノクロ画像読取素子が、１組の光電変換素子列と、該１組の光電変換素子列からデータを入力するとともに、異なる解像度に対応して利用するか否かの組み合わせが変わる３組のバッファと、該３組のバッファから信号を出力する３つのチャンネルとを備え、
前記カラー画像読取素子の備える３つのチャンネルと、前記モノクロ画像読取素子の備える３つのチャンネルとは、データ出力端が兼用されている
ことを特徴とする請求項１〜請求項５のいずれかに記載の画像読取装置。
【手続補正２】
【補正対象書類名】明細書
【補正対象項目名】全文
【補正方法】変更
【補正の内容】
【発明の詳細な説明】
【発明の属する技術分野】
【０００１】
本発明は、画像読取装置に関する。
【従来の技術】
【０００２】
従来から、各組がＲ（赤）Ｇ（緑）Ｂ（青）各色のいずれかに対応する３組の画像読取素子を備えたリニアイメージセンサで、原稿から画像を読み取るように構成された画像読取装置が知られている。この種の画像読取装置は、３組の画像読取素子を利用して原稿からカラー画像を読み取ることができ、また、３組の画像読取素子のうち、１組の（例えばＧ（緑）に対応する）画像読取素子を利用して原稿からモノクロ画像を読み取ることができた。
【０００３】
また、近年、上記３組の画像読取素子に加えて、モノクロ画像読み取り専用の画像読取素子として、さらにもう１組の画像読取素子を備えたリニアイメージセンサで、原稿から画像を読み取るように構成された画像読取装置が知られている（例えば下記特許文献１参照。）。この種の画像読取装置は、カラー専用の３組の画像読取素子を利用して原稿からカラー画像を読み取ることができ、また、モノクロ専用の１組の画像読取素子を利用して原稿からモノクロ画像を読み取ることができた。
【０００４】
【特許文献１】特開２００２−１１１９６８号公報
【発明の開示】
【発明が解決しようとする課題】
【０００５】
しかしながら、上記従来の画像読取装置によれば、以下に述べるような問題があった。
画像読取装置においては、原稿から画像を読み取る際に、フラットベッド機構（以下、ＦＢともいう。）か自動給紙機構（Automatic Document Feeder;以下、ＡＤＦともいう。）を利用する。すなわち、これらＦＢまたはＡＤＦにより、イメージセンサおよび原稿のうち、一方を他方に対して相対的に移動させて、原稿上の読取開始位置から読取終了位置までの範囲をイメージセンサで走査する。
【０００６】
しかし、カラー画像を読み取る際に利用する３組の画像読取素子と、モノクロ画像を読み取る際に利用する１組の画像読取素子（＝カラー画像を読み取る際に利用する３組の画像読取素子のうちの１組、またはカラー画像を読み取る際に利用する３組の画像読取素子とは別のモノクロ専用の画像読取素子）とでは、読取対象位置に僅かなずれがある。
【０００７】
そのため、イメージセンサと原稿との相対移動の開始時点の位置関係と、当該相対移動を開始するタイミング（以下、移動開始タイミングという。）と、イメージセンサで実際に原稿を読み取る処理を開始するタイミング（以下、読取開始タイミングという。）のすべてを、カラー画像を読み取る場合とモノクロ画像を読み取る場合とで一致させても、原稿上の走査範囲が厳密には一致せず、正確に同一範囲の画像を読み取ることができない、という問題があった。
【０００８】
この問題に関し、カラー画像を読み取る場合とモノクロ画像を読み取る場合のうち、いずれか一方について上述の読取開始タイミングを僅かに遅らせれば、他方と原稿上の走査範囲を一致させることも不可能ではない。
しかし、この場合は、移動開始タイミングよりも読取開始タイミングが僅かに遅れるため、読取終了タイミングも遅れることになり、移動開始タイミングから読取終了タイミングまでに要する時間がいくらか増大してしまう、という問題があった。
【０００９】
本発明は、上記問題を解決するためになされたものであり、その目的は、カラー画像を読み取る場合とモノクロ画像を読み取る場合とでは、異なる読取対象位置から画像を読み取る複数組の画像読取素子を備えたイメージセンサを利用しているにもかかわらず、画像の読み取り処理に要する時間を増大させることなく、同一範囲から画像を読み取り可能な画像読取装置を提供することにある。  
【課題を解決するための手段、および発明の効果】
【００１０】
上述の目的を達成するため、本発明においては、以下に説明するような構成を採用した。
まず、請求項１に記載の画像読取装置は、
読取対象位置に存在する原稿の一部から画像を読み取り可能な画像読取素子を複数組備えており、該複数組の画像読取素子のうち、いくつかの組によって前記原稿の一部をカラー画像として読み取るカラー画像読取素子が構成され、いくつかの組によって前記原稿の一部をモノクロ画像として読み取るモノクロ画像読取素子が構成されるイメージセンサと、
前記原稿上の読取開始位置から読取終了位置までの範囲が前記読取対象位置を順に通過するように、前記イメージセンサおよび前記原稿のうち、一方を他方に対して相対的に移動させる相対移動手段と、
前記原稿をカラー画像として読み取るカラーモードおよび原稿をモノクロ画像として読み取るモノクロモードのうち、いずれのモードで原稿を読み取るのかを、利用者からの指示に従って切り替えるモード切替手段と、
該モード切替手段により、前記カラーモードに切り替えられた場合は、前記カラー画像読取素子を利用する一方、前記モノクロモードに切り替えられた場合は、前記モノクロ画像読取素子を利用し、前記相対移動手段によって前記イメージセンサと前記原稿との相対位置を変更しながら前記イメージセンサで前記原稿の一部を読み取る処理を繰り返すことにより、原稿からカラー画像またはモノクロ画像を読み取るように制御する制御手段と
を備えた画像読取装置であって、
前記イメージセンサが、前記カラー画像読取素子で原稿を読み取る場合は第１の読取対象位置を利用する一方、前記モノクロ画像読取素子で原稿を読み取る場合は前記第１の読取対象位置とは異なる第２の読取対象位置を利用する構造でとされており、
当該画像読取装置が原稿の読み取り動作に対して待機状態にあるとき、利用者による所定の操作を検出する検出手段と、
前記カラー画像読取素子と前記モノクロ画像読取素子から白レベル補正データを取得する白レベル補正データ取得手段と、を備え、
前記制御手段は、前記検出手段が前記所定の操作を検出したとき、前記白レベル補正データ取得手段に、前記カラー画像読取素子及びモノクロ画像読取素子の白レベル補正データを取得させた後に、前記モード切替手段により切り替えられたモードに応じて、前記相対移動手段に、前記原稿上の読取開始位置と、前記第１の読取対象位置又は前記第２の読取対象位置とを一致させるとともに、前記白レベル補正データ取得手段に、取得した白レベルデータのうち使用する白レベル補正データを設定させてから、画像読取を開始する
ことを特徴とする。
【００１１】
この画像読取装置において、イメージセンサは、例えばリニアイメージセンサと呼ばれるものを採用可能であり、より具体的には、ＣＣＤ（charge coupled device，電荷結合素子）等を用いて、一次元配列された複数の画素からなる１ライン分の画像を読み取り可能に構成されたイメージセンサ等を用いることができる。ただし、発明の構成上は、２ラインを千鳥配列にして解像度を上げ、これを一回の読み取り単位とするイメージセンサであっても何ら問題はない。
【００１２】
また、このイメージセンサは、カラー画像を読み取り可能なものであり、異なる色フィルターがかけられた複数組の画像読取素子を備えている。異なる色フィルターとしては、リニアイメージセンサにおいて一般的なＲＧＢ系のもの、その補色に当たるＹＭＣ系のものどちらを用いてもよい。
【００１３】
また、このイメージセンサは、カラー画像読取素子で原稿を読み取る場合は第１の読取対象位置を利用する一方、モノクロ画像読取素子で原稿を読み取る場合は第１の読取対象位置とは異なる第２の読取対象位置を利用する構造とされている。
【００１４】
カラー画像読取素子としては、読取対象位置が異なる複数組の画像読取素子によって構成されていて、相対移動手段がイメージセンサと原稿とを相対移動させた際、原稿上の同一箇所が複数組の画像読取素子のそれぞれに対応する複数の読取対象位置を順に通過し、その通過中に各画像読取素子で原稿を読み取るように構成されたもの（例えばＲＧＢ各々に対応する３組の画像読取素子を並列配置した３ラインタイプのイメージセンサ、これに加えてもう１組、モノクロ専用の画像読取素子をも配置した４ラインタイプのイメージセンサなど）を採用できる。これらの場合、複数組の画像読取素子のうち、最初に原稿の一部を読み取ることになる一組の画像読取素子に対応する読取対象位置が前記第１の読取対象位置となる。
【００１５】
３ラインタイプのイメージセンサの場合、３ラインのうちの１ラインがモノクロ画像を読み取る際に利用されるが、そのモノクロ兼用の１ラインと、カラー画像を読み取る際に最初に画像を読み取ることになる１ラインとが異なるラインになっている場合に、上述の如き第１、第２の読取対象位置を利用する構成となる。
【００１６】
また、カラー画像読取素子としては、ＲＧＢ色フィルタを周期的に配列したインラインタイプのものも知られているが、この場合でも、モノクロ専用の画像読取素子を加えて２ライン構成にすると、上述の如き第１、第２の読取対象位置を利用する構造になる。
【００１７】
相対移動手段は、イメージセンサおよび原稿のうち、一方を他方に対して相対的に移動させる手段である。イメージセンサ側を移動させる手段としてはＦＢ、原稿側を移動させる手段としてはＡＤＦが公知である。これらＦＢおよびＡＤＦは、いずれか一方のみを備えていてもよいし、両方を備えていてもよく、両方を備えている場合には、いずれか一方についてのみ本発明の構成を採用することも可能である。
【００１８】
モード切替手段は、指示を入力する際に利用者が操作する入力手段（例えば操作パネル）、およびその入力手段を使って入力された指示に従った動作モードを設定する設定手段（例えばＣＰＵ、メモリなど）によって構成される。
また、検出手段は、画像読取装置が原稿の読み取り動作に対して待機状態にあるとき、利用者による所定の操作を検出するもので、カバーセンサや原稿供給トレイセンサ等と、制御装置とによって構成される。
更に白レベル補正データ取得手段は、カラー画像読取素子とモノクロ画像読取素子から白レベル補正データを取得するもので、制御装置によって構成される。
制御手段は、画像読取装置の各部の動作を制御する装置であり、例えばマイクロコンピュータによって構成される。
【００１９】
以上のように構成された画像読取装置によれば、制御手段は、検出手段が所定の操作を検出したとき、白レベル補正データ取得手段に、カラー画像読取素子及びモノクロ画像読取素子の白レベル補正データを取得させた後に、モード切替手段により切り替えられたモードに応じて、相対移動手段に、原稿上の読取開始位置と、第１の読取対象位置又は第２の読取対象位置とを一致させるとともに、白レベル補正データ取得手段に、取得した白レベルデータのうち使用する白レベル補正データを設定させてから、画像読取を開始する。
【００２０】
つまり、検出手段が利用者による所定の操作を検出したとき、白レベル補正データ取得手段は、カラー画像読取素子及びモノクロ画像読取素子の白レベル補正データを取得し、その後、原稿上の読取開始位置と第１の読取対象位置とを一致させるまでの動作、もしくは、原稿上の読取開始位置と第２の読取対象位置とを一致させるまでの動作は、モード切替手段によってモードが切り替えられた時点で実施される。すなわち、この画像読取装置において、白レベル補正データ取得手段は、この種の画像読取装置において周知の白レベル補正処理（シェーディング補正処理）に必要となる白レベル補正データを取得する手段である。この白レベル補正データ取得手段は、カラーモード／モノクロモードのいずれのモードとするのかを利用者から指示されたか否かにかかわらず、カラー画像読取素子とモノクロ画像読取素子の双方について、各画像読取素子の白レベル補正データを取得する点に特徴がある。そのため、カラーモード／モノクロモードのいずれのモードとするのかを利用者から指示された後に、指示されたモードに応じてカラー画像読取素子またはモノクロ画像読取素子の一方について白レベル補正データを取得するものに比べ、利用者がカラーモード／モノクロモードのいずれのモードとするのかを指示する前の段階で白レベル補正データの取得を開始できる。したがって、より早い時期に白レベル補正データの取得を完了させることができる。その結果、これらの動作は、利用者が原稿の読み取り開始を指示した後の処理時間を増大させる原因にはならない。
【００２１】
そして、カラー画像を読み取る場合とモノクロ画像を読み取る場合とで、すでに両者の相対的な位置関係が異なる位置関係になっているため、その位置からの相対移動を開始するタイミングと、イメージセンサで実際に原稿を読み取る処理を開始するタイミングを、カラー画像を読み取る場合とモノクロ画像を読み取る場合とで一致させても、原稿上の走査範囲が一致し、かつ、その読み取りに要する時間も一致する。
【００２２】
したがって、この画像読取装置によれば、カラー画像を読み取る場合とモノクロ画像を読み取る場合とでは、異なる読取対象位置から画像を読み取る複数組の画像読取素子を備えたイメージセンサを利用しているにもかかわらず、画像の読み取り処理に要する時間を増大させることなく、同一範囲から画像を読み取ることができる。
【００２３】
なお、本発明においては、さらに以下のような構成を採用すると望ましい。
まず、請求項２に記載の画像読取装置は、請求項１に記載の画像読取装置において、
前記制御手段は、モノクロ画像読取用の白補正データに関して、当該装置において指定可能な解像度毎にすべて取得する
ことを特徴とする。
【００２４】
この画像読取装置においては、モノクロ画像読取用の白補正データに関して、当該装置において指定可能な解像度のうち最高解像度のみならず、すべての解像度毎に白補正データをあらかじめ取得しておくので、より早いタイミングで白レベル補正データの取得を開始することができる。したがって、最終的に白レベル補正データの取得が完了する時間を早めることができる。
【００２５】
次に、請求項３に記載の画像読取装置は、請求項２に記載の画像読取装置において、
同じ解像度であっても異なる画像読取素子から取得される複数の白レベル補正データが存在する場合には、すべての白補正データを取得する
ことを特徴とする。
【００２６】
この画像読取装置においては、請求項２に記載の画像読取装置と同様に、モノクロ画像読取用の白補正データに関して、同じ解像度であっても異なる画像読取素子から取得される複数の白レベル補正データが存在する場合には、すべての白補正データを取得しておくので、より早いタイミングで白レベル補正データの取得を開始することができる。したがって、最終的に白レベル補正データの取得が完了する時間を早めることができる。
【００２７】
次に、請求項４に記載の画像読取装置は、請求項１〜至請求項３のいずれかに記載の画像読取装置において、
前記相対移動手段が、前記原稿上の読取開始位置と、前記イメージセンサの前記第１の読取対象位置又は前記第２の読取対象位置とを一致させるときのイメージセンサと原稿との間の相対速度は、画像読取時のイメージセンサと原稿との間の相対速度よりも速い
ことを特徴とする。
【００２８】
この画像読取装置によれば、前記原稿上の読取開始位置と、前記イメージセンサの前記第１の読取対象位置又は前記第２の読取対象位置とを一致させるときのイメージセンサと原稿との間の相対速度は、画像読取時のイメージセンサと原稿との間の相対速度よりも速いため、この処理を迅速に完了させることができる。
【００２９】
次に、請求項５に記載の画像読取装置は、請求項１〜請求項４のいずれかに記載の画像読取装置において、
前記検出手段が検出する利用者による所定の操作は、原稿が所定の位置に存在すること、原稿を載置するための原稿載置面を覆うカバーの開閉、および利用者が各種指示を入力する際に利用する入力装置が操作されたことのうち、少なくとも一つの事象である
ことを特徴とする。
【００３０】
【００３１】
【００３２】
【００３３】
しかも、白レベル補正データ取得手段が白レベル補正データの取得を開始するのは、検出手段が、利用者による所定の操作、すなわち、読取対象となる原稿が所定の位置に存在すること、読取対象となる原稿を載置するための原稿載置面を覆うカバーの開閉、および利用者が各種指示を入力する際に利用する入力装置が操作されたことのうち、少なくとも一つの事象を検出したことを開始条件としている。そのため、その後に利用者から画像の読み取り指示が出される可能性はきわめて高い。したがって、例えば定期的に白レベル補正データを取得したり、他の条件で白レベル補正データを取得したりするものに比べ、白レベル補正データを取得したことが無駄になるケースを少なくし、電力消費やメカ的な負担を低減することができる。
【００３４】
【００３５】
【００３６】
【００３７】
【００３８】
【００３９】
次に、請求項６に記載の画像読取装置は、請求項１〜請求項５のいずれかに記載の画像読取装置において、
前記カラー画像読取素子が、異なる色に対応する３組の光電変換素子列と、該３組の光電変換素子列からデータを入力する３組のバッファと、該３組のバッファから信号を出力する３つのチャンネルとを備え、
前記モノクロ画像読取素子が、１組の光電変換素子列と、該１組の光電変換素子列からデータを入力するとともに、異なる解像度に対応して利用するか否かの組み合わせが変わる３組のバッファと、該３組のバッファから信号を出力する３つのチャンネルとを備え、
前記カラー画像読取素子の備える３つのチャンネルと、前記モノクロ画像読取素子の備える３つのチャンネルとは、データ出力端が兼用されている
ことを特徴とする。
【００４０】
この画像読取装置によれば、カラー画像読取素子の備える３つのチャンネルと、モノクロ画像読取素子の備える３つのチャンネルとで、データ出力端が兼用されている。そのため、白レベル補正データ取得手段が、カラー画像読取素子とモノクロ画像読取素子の双方について、各画像読取素子の白レベル補正データの取得を行う際には、カラー画像読取素子およびモノクロ画像読取素子のうち、いずれか一方の処理が完了した後に他方の処理を開始しなければならず、両方を並列に処理可能なものよりも処理の開始から完了までに時間を要する可能性がある。しかし、上記請求項１〜請求項５に記載のいずれかの構成を備えているので、上述の如くデータ出力端が兼用されているにもかかわらず、十分に早い時期に白レベル補正データの取得を完了させることができる。
【００４１】
【００４２】
【００４３】
【発明の実施の形態】
【００４４】
次に、本発明の実施形態について一例を挙げて説明する。
本発明の実施形態として例示する画像読取装置は、イメージスキャナ／プリンタ／コピー／ファクシミリとしての機能を兼ね備えた複合機に組み込まれたものである。図１は、複合機１の斜視図である。
【００４５】
複合機１は、下側本体１ａに対して上側本体１ｂを開閉可能に取り付けてなるクラムシェル型の開閉構造を備えており、下側本体１ａに画像形成装置３（本実施形態ではレーザープリンタ）が組み込まれ、上側本体１ｂに画像読取装置５が組み込まれた構造になっている。また、上側本体１ｂの正面側には、操作パネル７が設けられている。
【００４６】
画像読取装置５は、ＦＢおよびＡＤＦの双方を備えるタイプのものである。この画像読取装置５自体も、フラットベッド部５ａに対してカバー部５ｂを開閉可能に取り付けてなるクラムシェル型の開閉構造を備えている。
この画像読取装置５において、フラットベッド部５ａには、図２に示すように、読取ヘッド１１、第１プラテンガラス１３、第２プラテンガラス１５、白板１７などが配設され、カバー部５ｂには、原稿供給トレイ２１、原稿搬送装置２３、原稿排出トレイ２５などが設けられている。
【００４７】
読取ヘッド１１は、イメージセンサ３１、いくつかのレンズやミラーからなる光学素子群３３、光源３５を備え、読取対象位置に存在する原稿に対して光源３５から光を照射し、原稿からの反射光を光学素子群３３によってイメージセンサ３１に集光し、イメージセンサ３１で画像を読み取るように構成されている。
【００４８】
また、読取ヘッド１１は、図３に示すように、一端に軸受３７を有し、他端にコロ３９を有している。そして、フラットベッド部５ａ内において第１プラテンガラス１３、第２プラテンガラス１５、および白板１７に対して平行に配設されているガイドバー４１を軸受３７に通すとともに、コロ３９をガイド面４３の上に搭載することにより、ガイドバー４１とガイド面４３との間に架設され、ガイドバー４１に沿って往復移動するように構成されている。コロ３９は、図２に示したように、上端側の一部が読取ヘッド１１の上方へ突出する状態になっていて、コロ３９との間にごく僅かな隙間（本実施形態では約０．５ｍｍの隙間）をなす位置にガイド部４５が形成されている。このような構造とすることにより、複合機１の移送時に発生する振動等によってガイドバー４１を中心に読取ヘッド１１を回動させるような力が読取ヘッド１１に作用した場合には、コロ３９がまずガイド部４５に当接する。これにより、読取ヘッド１１の回動が規制されるので、読取ヘッド１１本体と、第１プラテンガラス１３、第２プラテンガラス１５、および白板１７との衝突が防止される。
【００４９】
第１プラテンガラス１３は、ＦＢ側において原稿から画像を読み取る場合に利用されるものである。ＦＢを利用して原稿から画像を読み取る際には、利用者が、第１プラテンガラス１３の上に原稿を載置し、カバー部５ｂにて原稿を第１プラテンガラス１３に押し当て、その状態で操作パネル７において所定の操作を行う（例えば読取開始ボタンを押す。）。これにより、画像読取装置５は、読取ヘッド１１を第１プラテンガラス１３に沿って移動させながら原稿から画像を読み取る。
【００５０】
第２プラテンガラス１５は、ＡＤＦ側において原稿から画像を読み取る場合に利用されるものである。ＡＤＦを利用して原稿から画像を読み取る際には、利用者が、原稿供給トレイ２１上に原稿をセットし、その状態で操作パネル７において所定の操作を行う（例えば読取開始ボタンを押す。）。これにより、画像読取装置５は、原稿搬送装置２３を作動させて原稿を原稿供給トレイ２１から原稿排出トレイ２５へと搬送し、読取ヘッド１１を第２プラテンガラス１５の下方で静止させたまま、第２プラテンガラス１５の上を通過する原稿から画像を読み取る。
【００５１】
白板１７は、白色の均一な濃度分布を持つ部材であり、この白板１７から画像を読み取って、その実測データを理想データに変換する際に必要となる白レベル補正データが取得される。以後は、この白レベル補正データを利用して、白レベル補正処理（シェーディング補正処理）が行われる。
【００５２】
なお、複合機１の下側本体１ａに組み込まれた画像形成装置３は、図１に示すように、複合機１の背面側にある給紙トレイ５１からシート状記録媒体（例えば、紙）を取り込んで、その記録媒体の記録面上に画像を形成し、画像が記録された記録媒体を、複合機１の正面側にある排紙口５３から排出する構造になっている。排紙口５３の下方には、引き出し式の排紙トレイ５５が格納されており、必要に応じて排紙トレイ５５を引き出して、排紙口５３から排出される記録紙を受けることができる。
【００５３】
次に、読取ヘッド１１についてさらに詳しく説明する。
この読取ヘッド１１が備えるイメージセンサ３１は、図４に示すように、カラー画像読取素子としてＲＧＢの各色に対応する３組の画像読取素子６１、６２、６３を備えるとともに、モノクロ画像読取素子として１組の画像読取素子６４を備えた４ラインリニアイメージセンサとなっている。
【００５４】
カラー画像読取素子の一部を構成するＲ（赤）用の画像読取素子６１は、フォトダイオードアレイ（本発明でいう光電変換素子列）からなる光電変換部６１ａ、６１ｂと、ＣＣＤシフトレジスタ（本発明でいうバッファ）からなる電荷転送部６１ｃ、６１ｄと、電荷転送部６１ｃ、６１ｄからのデータを出力する１つのチャンネル６１ｆとを備えている。
【００５５】
光電変換部６１ａ、６１ｂは、それぞれ１列に配列されたフォトダイオードアレイからなり、光電変換部６１ａと光電変換部６１ｂは、フォトダイオード半個分、即ち半画素分だけずらして配置され、光電変換部６１ａ、６１ｂ全体でフォトダイオードが千鳥配列となるように構成されている。光電変換部６１ａ、６１ｂの各列のフォトダイオードは６００ｄｐｉ（ｄｏｔ  ｐｅｒ  ｉｎｃｈ）の密度で配列され、光電変換部６１ａ、６１ｂの両方を利用することにより、１２００ｄｐｉでの読み取りが可能となっている。
【００５６】
電荷転送部６１ｃ、６１ｄは、光電変換部６１ａ、６１ｂにおいて光電変換されて並列に同時転送されてくる電荷を受けて、その電荷量を順次直列にシフトして出力端側へと出力するアナログシフトレジスタである。なお、Ｇ（緑）用の画像読取素子６２、Ｂ（青）用の画像読取素子６３は、色フィルターが異なる点を除き、画像読取素子６１と同様に構成されている。即ち、図４において、６２ａ、６２ｂ、６３ａ、６３ｂは光電変換部であり、６２ｃ、６２ｄ、６３ｃ、６３ｄは電荷転送部であり、６２ｆ、６３ｆはチャンネルである。図４には、それらの符号のみ付して詳細な説明は省略する。
【００５７】
モノクロ画像読取素子を構成する画像読取素子６４は、フォトダイオードアレイからなる光電変換部６４ａ、６４ｂと、ＣＣＤシフトレジスタからなる電荷転送部６４ｃ、６４ｄ、６４ｅと、電荷転送部６４ｃ、６４ｄ、６４ｅからのデータを出力する３つのチャンネル６４ｆ、６４ｇ、６４ｈとを備えている。
【００５８】
光電変換部６４ａ、６４ｂは、先に説明した光電変換部６１ａ、６１ｂと同様の構造になっており、それぞれフォトダイオードが６００ｄｐｉの密度で配列され、光電変換部６４ａ、６４ｂの両方で１２００ｄｐｉでの読み取りが可能となっている。なお、この画像読取素子６４は、フォトダイオードの表面に色フィルターが無いため、上述したカラー用の画像読取素子６１〜６３よりも感度が高いものとなっている。
【００５９】
電荷転送部６４ｃ、６４ｄ、６４ｅは、光電変換部６４ａ、６４ｂにおいて光電変換されて並列に同時転送されてくる電荷を受けて、その電荷量を順次直列にシフトして出力端側へと出力するアナログシフトレジスタである。電荷転送部６４ｃは、光電変換部６４ａからの電荷を受け、電荷転送部６４ｄは、光電変換部６４ｂの奇数番目にある素子からの電荷を受け、電荷転送部６４ｅは、光電変換部６４ｂの偶数番目にある素子からの電荷を受けるように構成されている。なお、ここでは、素子の配列順序を、図４において右から左へ数えている。
【００６０】
このような構成とすることにより、３組の電荷転送部６４ｃ、６４ｄ、６４ｅからの出力で１２００ｄｐｉのデータが得られる他、１組の電荷転送部６４ｃまたは２組の電荷転送部６４ｄ、６４ｅからの出力で６００ｄｐｉのデータが得られる。また、３組の電荷転送部６４ｃ、６４ｄ、６４ｅのいずれかからの出力で３００ｄｐｉのデータが得られる構成となる。３００ｄｐｉのデータを得る場合は、電荷転送部６４ｃから得られる６００ｄｐｉのデータを３００ｄｐｉに変換（奇数番目と偶数番目を加算）して、より高画質な３００ｄｐｉデータ（以下、高画質３００ｄｐｉデータともいう。）を得ることができる。あるいは、電荷転送部６４ｄ、６４ｅのいずれかから、変換の手間をかけることなくより高速に３００ｄｐｉのデータ（以下、高速３００ｄｐｉデータともいう。）を得ることもできる。
【００６１】
電荷転送部６４ｃ、６４ｄ、６４ｅからのデータを出力する３つのチャンネル６４ｆ、６４ｇ、６４ｈは、カラー画像読取素子６１〜６３にそれぞれ対応する３つのチャンネル６１ｆ、６２ｆ、６３ｆと、データ出力端が兼用されている。そのため、カラー画像およびモノクロ画像のいずれを読み取る場合でも、このデータ出力端を介してデータが伝送される。なお、カラー画像読取素子６１〜６３／モノクロ画像読取素子６４のうち、どちらからのデータを転送するかについては、図示しないセレクタによりカラー／モノクロが選択されると切り替えられるように構成されている。
【００６２】
以上のような画像読取素子６１〜６４は、それぞれの光電変換部を構成するフォトダイオードの配列方向を主走査方向として、主走査方向と直交する副走査方向に間隔をあけて複数列のフォトダイオード列が配置されてた構造になっている。副走査方向の間隔は、各素子のサイズ（１ラインの読取幅：最大読取解像度に相当）の整数倍となるように調整されている。したがって、原稿と読取ヘッド１１とを副走査方向へ読み取り解像度単位で相対移動させながら、上記副走査方向の間隔を考慮したタイミングで１ライン分の画像を読み取れば、各画像読取素子６１〜６４のぞれぞれで読取対象位置が異なるものの、原稿上の同一位置から１ライン分の画像を読み取ることができる。
【００６３】
さらに、画像読取装置５は、図５に示すように、画像読取装置５全体の動作を制御する制御装置７１と、カバー部５ｂの開閉動作を検出するカバーセンサ７３と、原稿供給トレイ２１に原稿がセットされたことを検出する原稿供給トレイセンサ７５とを備えている。また、制御装置７１には、原稿搬送装置２３、読取ヘッド１１を副走査方向へ移動するように駆動するためのステッピングモータ７９、操作パネル７などが接続されている。
【００６４】
制御装置７１は、周知のマイクロコンピュータを中心にして、イメージセンサ３１やステッピングモータ７９の動作を制御するための制御回路、イメージセンサ３１からデータを入力するためのデータ入力回路およびメモリ、画像形成装置３に関する制御系や通信装置に関する制御系とのインターフェイス回路などを備えてなる。この制御装置７１がメモリに記憶されたプログラムに従って動作することにより、イメージセンサ３１を制御してカラー画像／モノクロ画像の切り替えを行ったり、解像度の切り替えを行うなど、画像読取に関する各種処理が実行される。
【００６５】
なお、複合機１は、画像読取装置５に関する制御系の他に、画像形成装置３に関する制御系や通信装置に関する制御系を備えており、これらが連携してプリンタ／コピー／ファクシミリとしての機能を提供している。ただし、画像形成装置や通信装置の制御系に関しては、本発明の要部ではないので、ここで説明および図示を省略する。
【００６６】
次に、画像読取装置５において実行される画像読取処理について、図６のフローチャートを参照しながら説明する。この画像読取処理は、画像読取装置５の稼働時に制御装置７１が常に実行している処理である。
まず、制御装置７１は、原稿供給トレイセンサ７５によってＡＤＦ（原稿搬送装置２３の原稿供給トレイ２１）に原稿がセットされているか否かを検出する（Ｓ１１０）。また、カバーセンサ７３によってカバー部５ｂの状態が開状態から閉状態もしくは閉状態から開状態に変化したか否かを検出する（Ｓ１２０）。さらに操作パネル７において何らかの操作がなされたか否かを検出する（Ｓ１３０）。これらの事象すべてが検出されない場合には（Ｓ１１０：ＮＯ、且つＳ１２０：ＮＯ、且つＳ１３０：ＮＯ）、Ｓ１１０〜Ｓ１３０の処理を繰り返す。
【００６７】
一方、上記いずれかの事象を検出した場合は（Ｓ１１０：ＹＥＳ、またはＳ１２０：ＹＥＳ、またはＳ１３０：ＹＥＳ）、カラー画像読取素子とモノクロ画像読取素子の双方について、各画像読取素子の白レベル補正データを取得する（Ｓ１４０、Ｓ１５０）。白レベル補正データは、実際に読取ヘッド１１を白板１７の範囲内で移動させながら白板１７から数ヶ所で画像を読み取って、その実測データと理想データと差異に基づいて算出される。この画像読取装置５においては、カラー画像読取素子とモノクロ画像読取素子とでそれぞれ３チャンネルあるデータ出力端が兼用されているので、各画像読取素子の白レベル補正データは、まずカラー画像読取素子用が取得され、その後でモノクロ画像読取素子用が取得される。また、白レベル補正データは、解像度３００ｄｐｉ、６００ｄｐｉ、１２００ｄｐｉのそれぞれに対応するものが取得される。
【００６８】
ここで、解像度３００ｄｐｉ、６００ｄｐｉの読み取りに使用される読取素子は、解像度１２００ｄｐｉの場合においても必ず使用されるので、１２００ｄｐｉに対応する白レベル補正データがあれば、その中から３００ｄｐｉ、６００ｄｐｉに対応する白レベル補正データを抽出することは可能である。
【００６９】
例えば、３００ｄｐｉ、１２００ｄｐｉに対応する白レベル補正データは、それぞれ図７（ａ）、同図（ｂ）に示すようなデータ構造になっている。図７において、データＢＷ１は、電荷転送部６４ｃからチャンネル６４ｆを介して送られてくるデータであり、データＢＷ２は、電荷転送部６４ｄからチャンネル６４ｇを介して送られてくるデータであり、データＢＷ３は、電荷転送部６４ｅからチャンネル６４ｈを介して送られてくるデータである。１２００ｄｐｉに対応する白レベル補正データ中には、データＢＷ２が含まれているので、図７（ｂ）に示すような１２００ｄｐｉに対応する白レベル補正データがあれば、３００ｄｐｉに対応する白レベル補正データを抽出することは可能である。
【００７０】
しかし、１２００ｄｐｉに対応する白レベル補正データ中には、解像度３００ｄｐｉ、６００ｄｐｉに対応する白レベル補正データＢＷ２、ＢＷ３と、それ以外のデータ（例えば１２００ｄｐｉのみで必要なデータＢＷ１）とが交互に格納されている。そのため、図７（ｂ）に示すような１２００ｄｐｉに対応する白レベル補正データ中から、３００ｄｐｉ、６００ｄｐｉに対応する白レベル補正データを抽出するには、不要なデータを読み飛ばしながら白レベル補正処理を実行しなければならず、その分だけ処理時間が増大する。
【００７１】
これに対し、あらかじめ、図７（ｂ）に示すような１２００ｄｐｉに対応するものとは別に、図７（ａ）に示すような解像度３００ｄｐｉ（あるいは、６００ｄｐｉ）に対応するデータを取得しておけば、余計な読み飛ばし処理が不要となるので、白レベル補正処理を迅速に処理することができるようになる。
【００７２】
さて次に、原稿供給トレイセンサ７５によって再びＡＤＦに原稿がセットされているか否かを検出し（Ｓ１６０）、原稿がセットされている場合は（Ｓ１６０：ＹＥＳ）、操作パネル７においてモノクロモードが指定されているかどうかをチェックする（Ｓ１７０）。ここで、モノクロモードが指定されている場合は（Ｓ１７０：ＹＥＳ）、ステッピングモータ７９を制御して読取ヘッド１１をＡＤＦ＿Ｂ／Ｗ位置（図８参照；詳しくは後述）へ移動させる（Ｓ１８０）。ここでの移動時には、イメージセンサ３１による画像の読み取りが行われないので、読み取りを行う場合よりも高速に読取ヘッド１１を移動させる。
【００７３】
続いて、解像度モードが３００ｄｐｉ高速モードであれば（Ｓ１９０：ＹＥＳ）、３００ｄｐｉ高速モードに対応した白レベル補正データを使用するように設定する（Ｓ２００）。３００ｄｐｉ高速モードに対応した白レベル補正データは、イメージセンサ３１の画像読取素子６４から、電荷転送部６４ｄ、６４ｅのいずれかを介して得た３００ｄｐｉ相当の補正値である。
【００７４】
また、解像度モードが３００ｄｐｉ高画質モードであれば（Ｓ２１０：ＹＥＳ）、３００ｄｐｉ高画質モードに対応した白レベル補正データを使用するように設定する（Ｓ２２０）。３００ｄｐｉ高画質モードに対応した白レベル補正データは、イメージセンサ３１の画像読取素子６４から、電荷転送部６４ｃを介して得た６００ｄｐｉ相当の補正値である。
【００７５】
また、解像度モードが６００ｄｐｉモードであれば（Ｓ２３０：ＹＥＳ）、６００ｄｐｉモードに対応した白レベル補正データを使用するように設定する（Ｓ２４０）。６００ｄｐｉモードに対応した白レベル補正データは、イメージセンサ３１の画像読取素子６４から、電荷転送部６４ｄ、６４ｅの両方を介して得た６００ｄｐｉ相当の補正値である。
【００７６】
また、解像度モードが１２００ｄｐｉモードであれば（Ｓ２５０：ＹＥＳ）、１２００ｄｐｉモードに対応した白レベル補正データを使用するように設定する（Ｓ２６０）。１２００ｄｐｉモードに対応した白レベル補正データは、イメージセンサ３１の画像読取素子６４から、電荷転送部６４ｃ、６４ｄ、６４ｅのすべてを介して得た１２００ｄｐｉ相当の補正値である。
【００７７】
そして、上記Ｓ１９０〜Ｓ２６０の処理を経て、使用する白レベル補正データを決定したら、以後は利用者からの読取開始指示に従って、原稿から画像を読み取る動作を開始する（Ｓ２７０）。この読取動作は、ＦＢを利用して原稿から画像を読み取る場合であれば、読取ヘッド１１が第１プラテンガラス１３に沿って移動しながら原稿から画像を読み取る動作となる。また、ＡＤＦを利用して原稿から画像を読み取る場合であれば、原稿搬送装置２３が作動して原稿が原稿供給トレイ２１から原稿排出トレイ２５へと搬送され、読取ヘッド１１が第２プラテンガラス１５の下方で静止したまま、第２プラテンガラス１５の上を通過する原稿から画像を読み取る動作となる。なお、これらの動作自体は公知なので詳細な説明は省略する。
【００７８】
続いて、読取動作を終了したら（Ｓ２８０）、読取ヘッド１１をいったん原点位置に移動させて（Ｓ２９０）、読取ヘッド１１の原点出しを行い、読取ヘッド１１を待機位置まで移動させ（Ｓ３００）、以後はＳ１１０からの処理を再び繰り返す。
【００７９】
さて、上記Ｓ１７０の処理において、モノクロモードが指定されていなかった場合は（Ｓ１７０：ＮＯ）、操作パネル７においてカラーモードが指定されているかどうかをチェックする（Ｓ３１０）。ここで、カラーモードが指定されている場合は（Ｓ３１０：ＹＥＳ）、ステッピングモータ７９を制御して読取ヘッド１１をＡＤＦ＿カラー位置（図８参照；詳しくは後述）へ移動させる（Ｓ３２０）。ここでの移動時には、イメージセンサ３１による画像の読み取りが行われないので、読み取りを行う場合（Ｓ２７０の処理）よりも高速に読取ヘッド１１を移動させる。以後は、上述のＳ２７０〜Ｓ３００の処理を実行し、Ｓ１１０からの処理を再び繰り返す。
【００８０】
ところで、Ｓ２７０の処理においては、イメージセンサ３１による画像の読み取りが行われるので、Ｓ１８０の処理よりも低速で読取ヘッド１１を移動させるが、さらにカラーモード／モノクロモードのいずれが指定されているかによっても、読取ヘッド１１の移動速度が変更される。すなわち、モノクロモードは、カラーモードよりも高速性を重視した構成になっており、具体的には、光源３５から読取対象位置ｂｗまでの距離は、光源３５から読取対象位置ｂまでの距離よりも近くて、読取対象位置ｂｗは読取対象位置ｂよりも明るくなっている。しかも、カラー用の画像読取素子６１〜６３は、色フィルターによる感度低下もあるため、モノクロ用の画像読取素子６４は、カラー用の画像読取素子６１〜６３よりも短時間で１ライン分の画像を読み取ることができる。そこで、モノクロモードの場合は、読取ヘッド１１をカラーモードの場合よりも高速で移動させることにより、迅速な読み取り処理を行う。また、カラーモードの場合は、読取ヘッド１１をモノクロモードの場合よりも低速で移動させることにより、１ライン分の画像を読み取る際のイメージセンサ３１に対する露光時間を十分に確保する。
【００８１】
一方、Ｓ３１０の処理において、カラーモードが指定されていなかった場合は（Ｓ３１０：ＮＯ）、Ｓ１４０、Ｓ１５０の処理において白レベル補正データを取得してから５分経過したかどうかをチェックする（Ｓ３３０）。ここで、経過時間が５分未満である場合は（Ｓ３３０：ＮＯ）、Ｓ１７０の処理へと戻り、カラーモードかモノクロモードが指定されるまで待機することになる。また、経過時間が５分以上である場合は（Ｓ３３０：ＹＥＳ）、Ｓ１１０の処理へと戻り、本処理を最初からやり直すことになる。このように経過時間によって処理を分岐させるのは、白レベル補正データを取得してから長時間が経過すると、イメージセンサ３１その他の特性が変動することがあり、それに応じて白レベル補正データも変更しないと、適正な白レベル補正を実施できなくなるからである。
【００８２】
さて、Ｓ１６０の処理において、原稿がセットされていない場合は（Ｓ１６０：ＮＯ）、操作パネル７においてモノクロモードが指定されているかどうかをチェックする（Ｓ３４０）。ここで、モノクロモードが指定されている場合は（Ｓ３４０：ＹＥＳ）、ステッピングモータ７９を制御して読取ヘッド１１をＦＢ＿Ｂ／Ｗ位置（図８参照；詳しくは後述）へ移動させる（Ｓ３５０）。ここでの移動時には、イメージセンサ３１による画像の読み取りが行われないので、読み取りを行う場合よりも高速に読取ヘッド１１を移動させる。以後は、上述のＳ１９０〜Ｓ２６０の処理を経て、Ｓ２７０〜Ｓ３００の処理を実行し、Ｓ１１０からの処理を再び繰り返す。なお、ここでは、モノクロモードが指定されているので、上述の通り、Ｓ２７０の処理ではカラーモードの場合よりも高速な読み取り処理が実行される。
【００８３】
上記Ｓ３４０の処理において、モノクロモードが指定されていなかった場合は（Ｓ３４０：ＮＯ）、操作パネル７においてカラーモードが指定されているかどうかをチェックする（Ｓ３６０）。ここで、カラーモードが指定されている場合は（Ｓ３６０：ＹＥＳ）、ステッピングモータ７９を制御して読取ヘッド１１をＦＢ＿カラー位置（図８参照；詳しくは後述）へ移動させる（Ｓ３７０）。ここでの移動時には、イメージセンサ３１による画像の読み取りが行われないので、読み取りを行う場合よりも高速に読取ヘッド１１を移動させる。以後は、上述のＳ２７０〜Ｓ３００の処理を実行し、Ｓ１１０からの処理を再び繰り返す。なお、ここでは、カラーモードが指定されているので、上述の通り、Ｓ２７０の処理ではモノクロモードの場合よりも低速な読み取り処理が実行される。
【００８４】
一方、Ｓ３６０の処理において、カラーモードが指定されていなかった場合は（Ｓ３６０：ＮＯ）、Ｓ１４０、Ｓ１５０の処理において白レベル補正データを取得してから５分経過したかどうかをチェックする（Ｓ３８０）。ここで、経過時間が５分未満である場合は（Ｓ３８０：ＮＯ）、Ｓ３４０の処理へと戻り、カラーモードかモノクロモードが指定されるまで待機することになる。また、経過時間が５分以上である場合は（Ｓ３８０：ＹＥＳ）、Ｓ１１０の処理へと戻り、本処理を最初からやり直すことになる。
【００８５】
以上説明した画像読取処理において、ＡＤＦ／ＦＢのいずれを用いるかとカラーモード／モノクロモードのいずれが指定されているかは、４通りの組み合わせを考え得るが、この４通りの組み合わせに対して、Ｓ１８０、Ｓ３２０、Ｓ３５０、Ｓ３７０の４通りの処理が一対一で対応し、いずれかの処理が実行されることになる。
【００８６】
図８は、画像読取素子６１〜６４の読取対象位置ｒ、ｇ、ｂ、ｂｗと、ＦＢ側における読取開始位置ｐ１と、ＡＤＦ側における読取位置ｐ２との位置関係を示した図である。
ＡＤＦを使用し且つモノクロモードが指定されている場合は、上記Ｓ１８０の処理が実行され、読取ヘッド１１は、図８中のＡＤＦ＿Ｂ／Ｗ位置へと移動する。この場合、画像読取素子６４の読取対象位置ｂｗが本発明でいう第２の読取対象位置となり、その読取対象位置ｂｗとＡＤＦ側における読取位置ｐ２とが一致するように、読取ヘッド１１を移動させることになる。
【００８７】
ＡＤＦを使用し且つカラーモードが指定されている場合は、上記Ｓ３２０の処理が実行され、読取ヘッド１１は、図８中のＡＤＦ＿カラー位置へと移動する。この場合、画像読取素子６３の読取対象位置ｂが本発明でいう第１の読取対象位置となり、その読取対象位置ｂとＡＤＦ側における読取位置ｐ２とが一致するように、読取ヘッド１１を移動させることになる。
【００８８】
なお、画像読取素子６３の読取対象位置ｂが本発明でいう第１の読取対象位置となるのは、ＡＤＦによる原稿の搬送方向と読取対象位置ｒ、ｇ、ｂの並び順によって決まることである。原稿の搬送方向が逆になったり、読取対象位置ｒ、ｇ、ｂの並び順が変われば、読取対象位置ｒ、ｇ、ｂのいずれが本発明でいう第１の読取対象位置となるのかは変わりうる。
【００８９】
ＡＤＦを使用せず且つモノクロモードが指定されている場合は、上記Ｓ３５０の処理が実行され、読取ヘッド１１は、図８中のＦＢ＿Ｂ／Ｗ位置へと移動する。この場合、画像読取素子６４の読取対象位置ｂｗが本発明でいう第２の読取対象位置となり、その読取対象位置ｂｗとＦＢ側における読取開始位置ｐ１とが一致するように、読取ヘッド１１を移動させることになる。
【００９０】
ＡＤＦを使用せず且つカラーモードが指定されている場合は、上記Ｓ３７０の処理が実行され、読取ヘッド１１は、図８中のＦＢ＿カラー位置へと移動する。この場合、画像読取素子６１の読取対象位置ｒが本発明でいう第１の読取対象位置となり、その読取対象位置ｒとＦＢ側における読取開始位置ｐ１とが一致するように、読取ヘッド１１を移動させることになる。
【００９１】
なお、画像読取素子６１の読取対象位置ｒが本発明でいう第１の読取対象位置となるのも、ＦＢでの読取ヘッド１１の移動方向と読取対象位置ｒ、ｇ、ｂの並び順によって決まることである。原稿の搬送方向が逆になったり、読取対象位置ｒ、ｇ、ｂの並び順が変われば、読取対象位置ｒ、ｇ、ｂのいずれが本発明でいう第１の読取対象位置となるのかは変わりうる。
【００９２】
以上説明したように、この複合機１が備える画像読取装置５によれば、操作パネル７（本発明でいうモード切替手段に相当。）によってカラーモードに切り替えられた場合には、画像読取装置５の備える制御装置７１（本発明でいう制御手段に相当。）が、Ｓ２７０以降の処理を実行するのに先立ち、原稿の読み取り開始を利用者から指示されたか否かにかかわらず、ＦＢ側における読取開始位置ｐ１（本発明でいう原稿上の読取開始位置に相当。）と読取対象位置ｒ（本発明でいう第１の読取対象位置に相当。）とを一致させる。もしくはＡＤＦ側における読取位置ｐ２（本発明でいう原稿上の読取開始位置に相当。）と読取対象位置ｂ（本発明でいう第１の読取対象位置に相当。）とを一致させる。その後、原稿の読み取り開始を利用者から指示されたら、Ｓ２７０以降の処理を実行することにより、読取対象位置ｒまたはｂと原稿との相対位置を変更しながら原稿を読み取る。一方、操作パネル７によってモノクロモードに切り替えられた場合には、制御装置７１が、Ｓ２７０以降の処理を実行するのに先立ち、原稿の読み取り開始を利用者から指示されたか否かにかかわらず、ＦＢ側における読取開始位置ｐ１と読取対象位置ｂｗ（本発明でいう第２の読取対象位置に相当。）とを一致させる。もしくはＡＤＦ側における読取位置ｐ２と読取対象位置ｂｗ（本発明でいう第２の読取対象位置に相当。）とを一致させる。その後、原稿の読み取り開始を利用者から指示されたら、Ｓ２７０以降の処理を実行することにより、読取対象位置ｂｗと原稿との相対位置を変更しながら原稿を読み取る。
【００９３】
原稿上の読取開始位置と第１、第２の読取対象位置とを一致させるまでの動作は、原稿の読み取り開始を利用者から指示されたか否かにかかわらず、操作パネル７によってモードが切り替えられた時点で実施される。したがって、これらの動作は、利用者が原稿の読み取り開始を指示した後の処理時間を増大させる原因にはならない。また、その後、原稿の読み取り開始を利用者から指示されたら、カラー画像を読み取る場合とモノクロ画像を読み取る場合とで、すでに両者の相対的な位置関係が異なる位置関係になっている。そのため、その位置からの相対移動を開始するタイミングと、読取ヘッド１１のイメージセンサ３１で実際に原稿を読み取る処理を開始するタイミングを、カラー画像を読み取る場合とモノクロ画像を読み取る場合とで一致させても、原稿上の走査範囲が一致し、かつ、その読み取りに要する時間も一致する。
【００９４】
したがって、この画像読取装置５によれば、カラー画像を読み取る場合とモノクロ画像を読み取る場合とでは、異なる読取対象位置ｒ、ｂ、ｂｗから画像を読み取る４ラインタイプのイメージセンサ３１を利用しているにもかかわらず、画像の読み取り処理に要する時間を増大させることなく、同一範囲から画像を読み取ることができる。
【００９５】
特に、この画像読取装置５の場合、イメージセンサ３１は、４ラインタイプのものなので、最も離れた位置にあるラインに対応した読取対象位置間の間隔は、ライン数が少ないものに比べて大きくなりやすい傾向がある。また、ＦＢ側を利用する際には、第１、第２の読取対象位置ｒ、ｂｗが、残りの読取対象位置ｇ、ｂを挟んで反対側となる位置関係にあるので、第１の読取対象位置ｒと第２の読取対象位置ｂｗとが大きく離れやすい。しかし、上述の如く事前に読取ヘッド１１を移動させておくので、画像の読取開始から読取終了までの動作時間は、最初に画像を読み取るラインがどのラインになる場合でも同一にできる。
【００９６】
また、この画像読取装置５において、Ｓ２７０の処理では、待機位置から第１，第２の読取対象位置のいずれかと読取開始位置とを一致させる位置まで読取ヘッド１１を移動させる際に、原稿を読み取る時よりも速い速度で読取ヘッド１１を移動させる。そのため、原稿を読み取る時と同じ速度で読取ヘッド１１を移動させるものに比べ、第１，第２の読取対象位置のいずれかと読取開始位置とを一致させる位置まで読取ヘッド１１を移動させる処理が迅速に完了する。
【００９７】
さらに、この画像読取装置５において、Ｓ１４０、Ｓ１５０の処理を実行する制御装置７１（本発明でいう白レベル補正データ取得手段に相当。）は、カラーモード／モノクロモードのいずれのモードとするのかを利用者から指示されたか否かにかかわらず、カラー用の画像読取素子６１〜６３とモノクロ用の画像読取素子６４の双方について、各画像読取素子の白レベル補正データを取得する。そのため、カラーモード／モノクロモードのいずれのモードとするのかを利用者から指示された後に、指示されたモードに応じてカラー画像読取素子またはモノクロ画像読取素子の一方について白レベル補正データを取得するものに比べ、利用者がカラーモード／モノクロモードのいずれのモードとするのかを指示する前の段階で白レベル補正データの取得を開始できる。したがって、より早い時期に白レベル補正データの取得を完了させることができる。
【００９８】
しかも、Ｓ１１０〜Ｓ１３０の処理により、読取対象となる原稿が存在すること、読取対象となる原稿を載置するための原稿載置面を覆うカバー部５ｂが開けられたこと、前記カバー部５ｂが閉められたこと、および利用者が各種指示を入力する際に利用する操作パネル７が操作されたことのうち、少なくとも一つの事象を検出したことを開始条件として、白レベル補正データを取得している。そのため、その後に利用者から画像の読み取り指示が出される可能性はきわめて高い。したがって、例えば定期的に白レベル補正データを取得したり、他の条件で白レベル補正データを取得したりするものに比べ、白レベル補正データを取得したことが無駄になるケースを少なくし、電力消費やメカ的な負担を低減することができる。
【００９９】
また、Ｓ１４０、Ｓ１５０の処理では、画像を読み取る際の解像度が指定される前に、指定可能な解像度のすべてに対応した複数の白レベル補正データを取得する。そのため、複数の白レベル補正データを取得するのに時間を要するものの、解像度が指定されるのを待つ必要はない。したがって、より早いタイミングで白レベル補正データの取得を開始することができ、最終的に白レベル補正データの取得が完了する時間を早めることができる。また、実際に白レベル補正処理を行う際にも、解像度に応じた白レベル補正データが用意されているので、過剰なデータが含まれている中から必要なデータだけを抽出する構成よりも、迅速にデータ処理を行うことができる。
【０１００】
さらに、この画像読取装置５によれば、カラー画像読取素子の備える３つのチャンネル６４ｆ、６４ｇ、６４ｈと、モノクロ画像読取素子の備える３つのチャンネル６１ｆ、６２ｆ、６３ｆとで、データ出力端が兼用されている。そのため、各画像読取素子の白レベル補正データの取得を行う際には、カラー画像読取素子およびモノクロ画像読取素子のうち、いずれか一方の処理が完了した後に他方の処理を開始しなければならず、両方を並列に処理可能なものよりも処理の開始から完了までに時間を要する可能性がある。しかし、上述の通り、白レベル補正データの取得を行うタイミングが画像の読取を開始するタイミングに比べて十分に早い時期になるので、白レベル補正データの取得によって画像の読み取りが遅くなるといった問題がない。
【０１０１】
加えて、この画像読取装置５によれば、読取対象位置ｂｗが読取対象位置ｒ、ｂよりも明るくなり、読取対象位置ｂｗにおける読み取り感度を読取対象位置ｒ、ｂよりも高くすることができる。したがって、モノクロ画像を読み取る場合に、より高速な走査が可能となる。
【０１０２】
以上、本発明の実施形態について説明したが、本発明は上記の具体的な一実施形態に限定されず、この他にも種々の形態で実施することができる。
例えば、上記実施形態では、ＦＢおよびＡＤＦを備えた画像読取装置５を例示したが、ＦＢまたはＡＤＦのいずれか一方を備えた画像読取装置において本発明の構成を採用することもできる。
【０１０３】
また、上記実施形態においては、ＡＤＦ側を利用する場合に、原稿の搬送量を変更することなく、読取ヘッド１１を移動させることにより、カラーモード／モノクロモードに応じて原稿上の読取開始位置と第１、第２の読取対象位置とを一致させていたが、読取ヘッド１１を移動させることなく、原稿の搬送量を変更することにより、カラーモード／モノクロモードに応じて原稿上の読取開始位置と第１、第２の読取対象位置とを一致させてもよい。このような構成であれば、ＡＤＦのみを備える画像読取装置の場合に、第１、第２の読取対象位置が存在しても、それに合わせて、読取処理開始前における原稿の搬送量が最適化される。
【図面の簡単な説明】
【０１０４】
【図１】画像読取装置が組み込まれた複合機を示す斜視図である。
【図２】画像読取装置を示す縦断面図である。
【図３】図２中の矢印Ａ方向から見た読取ヘッドとその周辺を示す縦断面図である。
【図４】イメージセンサの概略構造図である。
【図５】画像読取装置の制御系を示すブロック図である。
【図６】画像読取処理を示すフローチャートである。
【図７】白レベル補正データのデータ構造図であり、（ａ）は３００ｄｐｉデータに対応する図、（ｂ）は１２００ｄｐｉデータに対応する図である。
【図８】第１、第２の読取位置と読取開始位置との位置関係を示す説明図である。
【符号の説明】
【０１０５】
１・・・複合機、１ａ・・・下側本体、１ｂ・・・上側本体、３・・・画像形
成装置、５・・・画像読取装置、５ａ・・・フラットベッド部、５ｂ・・・カバ
ー部、７・・・操作パネル、１１・・・読取ヘッド、１３・・・第１プラテンガ
ラス、１５・・・第２プラテンガラス、１７・・・白板、２１・・・原稿供給ト
レイ、２３・・・原稿搬送装置、２５・・・原稿排出トレイ、３１・・・イメー
ジセンサ、３３・・・光学素子群、３５・・・光源、３７・・・軸受、３９・・
・コロ、４１・・・ガイドバー、４３・・・ガイド面、４５・・・ガイド部、５
１・・・給紙トレイ、５３・・・排紙口、５５・・・排紙トレイ、６１，６２，
６３，６４・・・画像読取素子、６１ａ，６１ｂ，６２ａ，６２ｂ，６３ａ，６
３ｂ，６４ａ，６４ｂ・・・光電変換部、６１ｃ，６１ｄ，６２ｃ，６２ｄ，６
３ｃ，６３ｄ，６４ｃ，６４ｄ，６４ｅ・・・電荷転送部、６１ｆ，６２ｆ，６
３ｆ，６４ｆ，６４ｇ，６４ｈ・・・チャンネル、７１・・・制御装置、７３・
・・カバーセンサ、７５・・・原稿供給トレイセンサ、７７・・・イメージセン
サ制御回路、７９・・・ステッピングモータ。